(57)【要約】定着装置の動作モードの変更によって、熱により画像を記録紙に定着させる回転可能な加熱手段の回転速度が、最も早い第一の回転速度から、最も遅い第二の回転速度へと移行する際、第一の回転速度から第二の回転速度に直接変更すると加熱手段の温度のオーバシュートが大きくなり、ベルトの寿命が短くなり、高温異常エラーが発生することがある。そこで、第一の回転速度と第二の回転速度の間である第三の回転速度で加熱手段を所定時間回転させた後、第二の回転速度に変更する。これにより、加熱手段の温度の過大なオーバシュートを回避する。【特許請求の範囲】
【請求項１】
熱によって画像を記録紙に定着させる回転可能な加熱手段と、
前記加熱手段との間で記録紙を加圧搬送する加圧手段と、
前記加熱手段が第一の回転速度で回転する一のモードから前記加熱手段が第二の回転速度で回転する他のモードへ移行するとき、前記加熱手段を前記第一の回転速度と前記第二の回転速度との間の第三の回転速度で所定時間回転させる回転速度制御手段と、
を具備する定着装置。
【請求項２】
前記回転速度制御手段は、
前記第一の回転速度に対する前記第二の回転速度の割合が所定値よりも小さい場合、前記加熱手段を前記第三の回転速度で所定時間回転させ、その後、前記加熱手段の回転速度を、前記所定の回転速度から、前記他のモードに対応する回転速度に変更する、
請求項１記載の定着装置。
【請求項３】
前記回転速度制御手段は、
前記第一の回転速度に対する前記第二の回転速度の割合が前記所定値以上の場合、前記加熱手段の回転速度を直接前記第一の回転速度から前記第二の回転速度に変更する、
請求項２記載の定着装置。
【請求項４】
前記所定値は、０．５である、請求項２記載の定着装置。
【請求項５】
熱によって画像を記録紙に定着させる回転可能な加熱手段と、
前記加熱手段との間で記録紙を加圧搬送する加圧手段と、
前記加熱手段が第一の回転速度で回転する第一のモードと、前記加熱手段が前記第一の回転速度よりも低い第二の回転速度で回転する第二のモードと、前記加熱手段が前記第一の回転速度よりも低く前記第二の回転速度よりも高い第三の回転速度で回転する第三のモードとを切り替えて設定するモード切替手段と、
前記モード切替手段によって前記第一のモードから前記第二のモードへ切り替えられるとき、前記加熱手段を前記第一の回転速度と前記第二の回転速度との間の所定の回転速度で所定時間回転させる回転速度制御手段と、
を具備する定着装置。
【請求項６】
前記回転制御手段は、前記加熱手段を、前記第一の回転速度と前記第二の回転速度との間の所定の回転速度で、所定時間回転させた後、前記加熱手段の回転速度を、前記所定の回転速度から、前記第二の回転速度に変更する、請求項５記載の定着装置。
【請求項７】
前記所定の回転速度は、前記第三の回転速度である、請求項５記載の定着装置。
【請求項８】
前記回転速度制御手段は、
前記モード切替手段によって前記第一のモードから前記第二のモードへ切り替えられるとき、前記加熱手段の回転速度を、前記第一の回転速度から、前記第三の転速度に変更し、所定時間回転させた後、前記第二の回転速度に変更する、請求項７記載の定着装置。
【請求項９】
前記回転速度制御手段は、
前記モード切替手段によって前記第一のモードから第三のモードへ切り替えられるとき、前記加熱手段の回転速度を直接前記第一の回転速度から前記第三の回転速度に変更する、
請求項５記載の定着装置。
【請求項１０】
前記回転速度制御手段は、
前記モード切替手段によって前記第三のモードから前記第二のモードへ切り替えられるとき、前記加熱手段の回転速度を直接前記第三の回転速度から前記第二の回転速度に変更する、
請求項５記載の定着装置。
【請求項１１】
前記加熱手段は、回転によって熱を搬送して画像を記録紙に定着させ、
前記各モードにおいて、前記加熱手段の熱搬送部位の目標温度を前記各モードに応じた値に設定する目標温度設定手段と、
前記目標温度設定手段によって設定された目標温度に応じた熱を前記加熱手段に供給する熱供給手段と、
を更に具備する請求項５記載の定着装置
【請求項１２】
前記第一のモードは、モノクロ普通紙の印字モードに対応し、
前記第一の回転速度は、モノクロ普通紙の印字速度に対応する前記加熱手段の回転速度であり、
前記第二のモードは、印字を行わない待機モードに対応し、
前記第二の回転速度は、待機モードにおける回転速度に対応する前記加熱手段の回転速度であり、
前記第三のモードは、カラー普通紙の印字モードに対応し、
前記第三の回転速度は、カラー普通紙の印字速度に対応する前記加熱手段の回転速度であり、
前記第二の回転速度は、前記第一の回転速度の半分以下の回転速度である、
請求項５記載の定着装置。
【請求項１３】
前記第一のモードは、モノクロ普通紙の印字モードに対応し、
前記第一の回転速度は、モノクロ普通紙の印字速度に対応する前記加熱手段の回転速度であり、
前記第二のモードは、カラー特殊紙の印字モードに対応し、
前記第二の回転速度は、カラー特殊紙の印字速度に対応する前記加熱手段の回転速度であり、
前記第三のモードは、カラー普通紙の印字モードに対応し、
前記第三の回転速度は、カラー普通紙の印字速度に対応する前記加熱手段の回転速度であり、
前記第二の回転速度は、前記第三の回転速度の半分以下の回転速度である、
請求項５記載の定着装置。
【請求項１４】
前記加熱手段の目標温度に応じた磁束を発生させる磁束発生手段、を更に具備し、
前記加熱手段は、
前記磁束発生手段によって発生された磁束に基づく電磁誘導によって発生した熱を搬送する、
請求項１記載の定着装置。
【請求項１５】
前記熱供給手段は、
前記加熱手段の目標温度に応じた磁束を発生させる磁束発生手段であり、
前記加熱手段は、
前記磁束発生手段によって発生された磁束に基づく電磁誘導によって発生した熱を搬送する、
請求項１１記載の定着装置。
【請求項１６】
前記加熱手段は、
少なくとも離型層と前記電磁誘導によって発熱する発熱層とを有する定着ローラである、
請求項１４記載の定着装置。
【請求項１７】
前記加熱手段は、
少なくとも離型層と前記電磁誘導によって発熱する発熱層とを有する定着ベルト、弾性層を有する定着ローラ、および支持ローラからなる、
請求項１４記載の定着装置。
【請求項１８】
前記支持ローラは、
前記電磁誘導によって発熱する発熱ローラである、
請求項１７記載の定着装置。
【請求項１９】
記録紙に画像を転写する画像転写装置と、
前記画像転写手段によって記録紙に転写された画像を熱によって定着させる回転可能な加熱手段と、前記加熱手段との間で記録紙を加圧搬送する加圧手段と、前記加熱手段が第一の回転速度で回転する一のモードから前記加熱手段が第二の回転速度で回転する他のモードへ移行する場合、前記加熱手段を前記第一の回転速度と前記第二の回転速度との間の第三の回転速度で所定時間回転させる回転速度制御手段と、を備えた定着装置と、
を具備する画像形成装置。
【発明の詳細な説明】
【技術分野】
【０００１】  本発明は、回転する加熱手段を用いて記録紙を加熱する定着装置に関し、特に電子写真方式または静電記録方式の複写機や複合機、ファクシミリ、プリンタなどの画像形成装置に好適な定着装置に関する。
【背景技術】
【０００２】  電磁誘導加熱方式の加熱装置は、一般に、調理テーブルや電気釜などに使用されている。近年、このような電磁誘導加熱方式の加熱装置を複写機やファクシミリ、プリンタなどの画像形成装置における定着装置に適用することが盛んに検討されている。【０００３】  電磁誘導加熱方式の加熱装置を用いた定着装置では、磁束発生手段が発生する磁束を発熱体の発熱層に透過させ、この磁束の透過により生じた渦電流によって発熱層を発熱させる。そして、この発熱により加熱された発熱体の熱で、コピー用紙またはＯＨＰ（ＯｖｅｒＨｅａｄ  Ｐｒｏｊｅｃｔｏｒ）シートなどの記録紙上に形成された未定着画像を、直接的または間接的に加熱定着させるようにしている。【０００４】  具体的には、たとえば、定着ローラまたは定着ベルトなどからなる発熱体に導電体からなる発熱層を形成する。また、記録紙の通紙経路を挟んで発熱体と加圧ローラとを圧接させて配置し記録紙を挟持して搬送するニップ部を形成する。さらに、強磁性体からなるコアに励磁コイルを巻回して構成される磁束発生手段を配置する。ただし、その励磁コイルは、発熱体の発熱層に対向するように配置する。そして、励磁コイルに所定の周波数の交流電流を印加し、励磁コイルの周囲に磁束を発生させて磁界を形成し、この磁界の作用で生じた渦電流により発熱体の発熱層を発熱させる。この状態で、発熱体と加圧ローラとのニップ部に記録紙を送り込み、発熱層の発熱により加熱された発熱体の熱と加圧ローラの圧力とにより記録紙上の未定着画像を定着する。【０００５】  このような電磁誘導加熱方式の加熱装置を用いた定着装置は、ハロゲンランプを熱源とする熱ローラ方式の定着装置と比較して、より発熱効率が高く、所定の定着温度に発熱するまでのウォームアップ時間を短くすることができるという利点を有している。【０００６】  しかし、加熱力が強いため、特に低い熱容量の定着装置において装置を回転させずに加熱した場合に、局部的に温度上昇が起こり、部分的にローラやベルトが熱破壊してしまう恐れがある。そのため、電磁誘導加熱は定着装置の回転中のみに限られ、装置のスタンバイ中に発熱させる場合にはスタンバイ中にも低速で回転させるなどの対策が必要となる（たとえば、特許文献１参照）。【０００７】  ところで、連続印字中に印字モードが変更されることがある。たとえば、普通紙の印字からＯＨＰシートの印字に切り替えられる場合である。このような場合、ＯＨＰ印字モードでは透過性を維持するため通常速度が半速になり、定着させる際の温度も普通紙印字モードにおける温度よりも高く設定されることが多い。したがって、このような印字モードの変更の際にそれぞれに起因する温度上昇が重なり、定着装置の温度が一時的に規定値を超えてしまう現象、つまり、オーバシュートの現象が生じることがある。【０００８】  ハロゲンランプを用いた従来の定着装置では、上記の速度の変更と設定温度の変更が同時に行われていた。しかし、ハロゲンランプには熱応答の遅れが存在しており、この熱応答特性によって、結果的に加熱タイミングがずれることになっていた。すなわち、結果的に、回転速度の変更が終了して発熱ローラの温度が安定した後に、発熱ローラの温度上昇が始��っていた。したがって、ハロゲンランプを用いた従来の定着装置では、オーバシュートは特に問題視されていなかった。
【特許文献１】特開２００２−０８２５４９号公報
【発明の開示】
【発明が解決しようとする課題】
【０００９】  一方、電磁誘導加熱式の定着装置においては、熱応答の遅れはほとんど存在しない。このため、従来のハロゲンランプを用いた定着装置と同様に、速度の変更と設定温度の変更を同時に行った場合に、それぞれが原因の温度上昇が一度に発生することにより、オーバシュートの度合いが大きくなるものと想定される。【００１０】  上記した従来の電磁誘導加熱方式の定着装置では、定着装置の寿命や騒音の観点から、スタンバイモード時に定着装置を通常の印字動作速度の半速で動作させている。したがって、普通紙印字が終了した後に次の印字が無くスタンバイモードに移行する場合には、通常速度の動作から半速の動作に移行することになる。【００１１】  その場合、半速動作に移行した直後に加圧ローラに奪われる熱量が半減し、加熱手段の温度がオーバシュートする。特にベルト定着方式の場合、速度が半分になることによってベルトに供給される熱量が瞬間的に倍になり、急激な温度上昇を起こすことになる。また、電磁誘導加熱によってベルトを直接発熱させる場合も、電磁誘導加熱の励磁コイルを通過する時間が倍になることから、局所的にベルトの温度が高くなる現象が発生する。【００１２】  通常、ベルト定着装置では加熱部と温度検知部に位置的なずれがあることが多い。また、加熱に電磁誘導加熱を用いた場合には、加熱部位に金属を配置すると加熱されてしまうため、電磁誘導加熱の磁界内に温度センサを置くことは困難である。そのため、加熱した温度を制御にフィードバックするのにタイムラグが生じる。これは速度を半速にすることにより顕著になるため、ベルトの温度上昇も大きくなる。以上の現象は、等速印字のベルト移動速度が２００ｍｍ／ｓ（ミリメートル毎秒）以上といった高い速度で、半速との速度差が大きい場合により顕著になる。【００１３】  最近では、カラー等速印字速度の１．１〜２倍の速度でモノクロ印字することが行われている。その場合、モノクロ印字モードからカラー印字のスタンバイモードへ移行する場合、その速度は１／２〜１／４程度に急速に低下することになる。そのため、より大きなオーバシュートが発生する。【００１４】  さらに、加熱の目標温度がモノクロ印字モード時の値からスタンバイモード時の値へ切り替わる際、一時的に加熱の出力が上昇する現象がある。これはモノクロ印字モード時の定着温度からスタンバイモード時の温度への移行がより高温への変更になる場合に顕著である。【００１５】  モノクロ普通紙印字が終了した後にカラー印字のスタンバイモードに移行した場合、上記二つの現象が重なり合い、２０℃以上オーバシュートする現象が見られた。【００１６】  また、ＯＨＰ用紙に印字する際は、上記のように、動作速度を落としたり設定温度を高くする。したがって、モノクロ印字からそのままカラーのＯＨＰ印字モードに移行する場合には、モード移行時のオーバシュートが２５℃以上と過大になり、ベルトの寿命短縮やサーモスタットが切れたり高温エラーの発生が起こる可能性がある。【００１７】  本発明の目的は、モード移行時のオーバシュートを抑えることができる定着装置およびこれを用いた画像形成装置を提供することである。
【課題を解決するための手段】
【００１８】  本発明の定着装置は、熱によって画像を記録紙に定着させる回転可能な加熱手段と、前記加熱手段との間で記録紙を加圧搬送する加圧手段と、前記加熱手段が第一の回転速度で回転する一のモードから前記加熱手段が第二の回転速度で回転する他のモードへ移行するとき、前記加熱手段を前記第一の回転速度と前記第二の回転速度との間の第三の回転速度で所定時間回転させる回転速度制御手段と、を具備する構成を採る。【００１９】  また、本発明の定着装置は、熱によって画像を記録紙に定着させる回転可能な加熱手段と、前記加熱手段との間で記録紙を加圧搬送する加圧手段と、前記加熱手段が第一の回転速度で回転する第一のモードと、前記加熱手段が前記第一の回転速度よりも低い第二の回転速度で回転する第二のモードと、前記加熱手段が前記第一の回転速度よりも低く前記第二の回転速度よりも高い第三の回転速度で回転する第三のモードとを切り替えて設定するモード切替手段と、前記モード切替手段によって前記第一のモードから前記第二のモードへ切り替えられるとき、前記加熱手段を前記第一の回転速度と前記第二の回転速度との間の所定の回転速度で所定時間回転させる回転速度制御手段と、を具備する構成を採る。【００２０】  また、本発明の画像形成装置は、記録紙に画像を転写する画像転写装置と、前記画像転写手段によって記録紙に転写された画像を熱によって定着させる回転可能な加熱手段と、前記加熱手段との間で記録紙を加圧搬送する加圧手段と、前記加熱手段が第一の回転速度で回転する一のモードから前記加熱手段が第二の回転速度で回転する他のモードへ移行する場合、前記加熱手段を前記第一の回転速度と前記第二の回転速度との間の第三の回転速度で所定時間回転させる回転速度制御手段と、を備えた定着装置と、を具備する構成を採る。
【発明の効果】
【００２１】  本発明によれば、あるモードから加熱手段の回転速度の異なるモードへと切り替わるときに、直接に回転速度を変更するのではなく、中間の回転速度で加熱手段を所定時間回転させてから次のモードの回転速度へと移行させる。これにより、モードの移行に伴う加熱手段の温度のオーバシュートを抑えることができ、その後の印字時における画像乱れも防止することができる。このため、たとえば、カラー印字速度と、それより速いモノクロ印字速度と、ＯＨＰなどのカラー半速印字速度とを有する、または、待機時に加熱手段の回転速度を半速以下とする待機状態に移行する定着装置であっても、速度変更の際に加熱手段の温度の過大なオーバシュートを防ぐことができ、また、良好な画像を得ることができる。
【図面の簡単な説明】
【００２２】
【図１】本発明の実施の形態１に係る定着装置を用いた画像形成装置の構成を示す概略断面図
【図２】本発明の実施の形態１に係る定着装置の構成を示す概略断面図
【図３】本発明の実施の形態１に係る定着装置の機能的構成を示すブロック図
【図４】本発明の実施の形態１における発熱量制御部の機能的構成を示すブロック図
【図５】本発明の実施の形態１における回転速度制御部による回転速度制御処理の流れを表すフロー図
【図６】本発明の実施の形態１に係る定着装置による定着ベルトの温度変化のシミュレーション結果を示す図
【図７】本発明の実施の形態２に係る定着装置の機能的構成を示すブロック図
【図８】本発明の実施の形態２における回転速度制御部による回転速度制御処理の流れを表すフロー図
【図９】実施の形態２に係る定着装置による定着ベルトの温度変化のシミュレーション結果を示す説明図
【図１０】本発明の実施の形態３に係る定着装置の構成を示す概略断面図
【図１１】中間の回転速度を用いない定着装置における温度変化のシミュレーション結果の一例を示す説明図
【図１２】中間の回転速度を用いない定着装置における温度変化のシミュレーション結果の他の例を示す説明図
【発明を実施するための最良の形態】
【００２３】  以下、本発明の実施の形態について、図面を参照して詳細に説明する。なお、各図において同一の構成または機能を有する構成要素および相当部分には、同一の符号を付し、その説明を省略する。【００２４】  （実施の形態１）
図１は、本発明の実施の形態１に係る定着装置を用いた画像形成装置の構成を示す概略断面図である。この画像形成装置１００は、タンデム方式の画像形成装置である。画像形成装置１００において、カラー画像の発色に寄与する４色のトナー像が、４つの像担持体上に個別に形成され、中間転写体上に順次重ね合わせて一次転写された後、この一次転写像が、記録媒体に一括転写（二次転写）される。【００２５】  また、図１において、画像形成装置１００の各構成要素に付した符号の末尾の記号Ｙ、Ｍ、Ｃ、Ｋは、どの色の画像の画像形成に関与する構成要素であるかを示している。Ｙはイエロー画像に対応し、Ｍはマゼンタ画像に対応し、Ｃはシアン画像に対応し、Ｋはブラック画像に対応している。また、同一符号の構成要素は、それぞれ共通した構成を有している。【００２６】  画像形成装置１００は、前記４つの像担持体としての感光体ドラム１１０Ｙ、１１０Ｍ、１１０Ｃ、１１０Ｋと、中間転写ベルト（中間転写体）１７０とを有している。各感光体ドラム１１０Ｙ、１１０Ｍ、１１０Ｃ、１１０Ｋの周囲には、４つの画像形成ステーションＳＹ、ＳＭ、ＳＣ、ＳＫが配設されている。画像形成ステーションＳＹ、ＳＭ、ＳＣ、ＳＫは、４つの帯電器１２０Ｙ、１２０Ｍ、１２０Ｃ、１２０Ｋと、露光装置１３０と、４つの現像器１４０Ｙ、１４０Ｍ、１４０Ｃ、１４０Ｋと、４つの転写器１５０Ｙ、１５０Ｍ、１５０Ｃ、１５０Ｋと、４つのクリーニング装置１６０Ｙ、１６０Ｍ、１６０Ｃ、１６０Ｋとにより構成されている。【００２７】  図１において、各感光体ドラム１１０Ｙ、１１０Ｍ、１１０Ｃ、１１０Ｋは、それぞれ矢印Ｃの方向に回転される。各感光体ドラム１１０Ｙ、１１０Ｍ、１１０Ｃ、１１０Ｋの表面は、帯電器１２０Ｙ、１２０Ｍ、１２０Ｃ、１２０Ｋによって、一様に所定の電位にそれぞれ帯電される。【００２８】  帯電された各感光体ドラム１１０Ｙ、１１０Ｍ、１１０Ｃ、１１０Ｋの表面には、露光装置１３０によって、それぞれ異なる特定色の画像データに対応したレーザビームの走査線１３０Ｙ、１３０Ｍ、１３０Ｃ、１３０Ｋが照射される。これにより、各感光体ドラム１１０Ｙ、１１０Ｍ、１１０Ｃ、１１０Ｋの表面に前記特定色ごとの静電潜像が形成される。【００２９】  感光体ドラム１１０Ｙ、１１０Ｍ、１１０Ｃ、１１０Ｋ上に形成された前記特定色ごとの静電潜像は、現像器１４０Ｙ、１４０Ｍ、１４０Ｃ、１４０Ｋによって顕像化される。これにより、各感光体ドラム１１０Ｙ、１１０Ｍ、１１０Ｃ、１１０Ｋ上に、カラー画像の発色に寄与する４色の未定着画像が形成される。【００３０】  感光体ドラム１１０Ｙ、１１０Ｍ、１１０Ｃ、１１０Ｋ上に顕像化された４色のトナー像は、転写器１５０Ｙ、１５０Ｍ、１５０Ｃ、１５０Ｋによって、前記中間転写体としての無端状の中間転写ベルト１７０に一次転写される。これにより、感光体ドラム１１０Ｙ、１１０Ｍ、１１０Ｃ、１１０Ｋ上に形成された４色のトナー像が順次重ね合わされ、中間転写ベルト１７０上にフルカラー画像が形成される。【００３１】  クリーニング手段１６０Ｙ、１６０Ｍ、１６０Ｃ、１６０Ｋは、各感光体ドラム１１０Ｙ、１１０Ｍ、１１０Ｃ、１１０Ｋが中間転写ベルト���７０にトナー像を転写した後、各感光体ドラム１１０Ｙ、１１０Ｍ、１１０Ｃ、１１０Ｋの表面に残っている残留トナーを除去する。【００３２】  露光装置１３０は、感光体ドラム１１０Ｙ、１１０Ｍ、１１０Ｃ、１１０Ｋに対して所定の傾きをもって配置されている。また、中間転写ベルト１７０は、駆動ローラ１７１と従動ローラ１７２とに懸架されており、駆動ローラ１７１の回転により、図１において矢印Ａの方向へ回動される。【００３３】  一方、画像形成装置１００の下部には、記録媒体としての記録紙Ｐが収納された給紙カセット１８０が設けられている。記録紙Ｐは、給紙ローラ１８１によって給紙カセット１８０から１枚ずつ所定のシート経路に沿って矢印Ｂの方向に送り出される。【００３４】  従動ローラ１７２に懸架された中間転写ベルト１７０の外周面と、中間転写ベルト１７０の外周面に接触する二次転写ローラ１９０は、転写ニップ部を形成している。前記シート経路に送り出された記録紙Ｐは、この転写ニップ部を通過する。二次転写ローラ１９０は、記録紙Ｐが前記転写ニップ部を通過する際に、中間転写ベルト１７０上に形成されたフルカラー画像（未定着画像）をこの記録紙Ｐに一括転写させる。【００３５】  後に詳述する定着装置２００の定着ローラ２１０および支持ローラとしての発熱ローラ２２０に懸架された定着ベルト２３０の外周面と、定着ベルト２３０の外周面に接触する加圧ローラ２４０は、定着ニップ部Ｎを形成している。記録紙Ｐは、前記転写ニップ部を通過した後、この定着ニップ部Ｎを通過する。これにより、記録紙Ｐには、前記転写ニップ部で一括転写された未定着のフルカラー画像が加熱定着される。【００３６】  なお、画像形成装置１００には、その筐体の一部を成す開閉自在のドア１０１が設けられている。このドア１０１の開閉により、定着装置２００の交換やメンテナンス、前記用紙搬送路に詰まった記録紙Ｐのジャム処理などの保守作業を行うことができる。【００３７】  次に、画像形成装置１００に搭載されている定着装置２００について説明する。図２は、本発明の実施の形態１に係る定着装置２００の構成を示す概略断面図である。【００３８】  定着装置２００は、その熱供給手段として、電磁誘導加熱（ｉｎｄｕｃｔｉｏｎ  ｈｅａｔｉｎｇ：ＩＨ）方式を用いている。図２に示すように、定着装置２００は、熱供給手段から供給された熱により画像を記録紙Ｐに定着させる回転可能な加熱手段として、定着ローラ２１０と、発熱ローラ２２０と、定着ベルト２３０とを備えている。また、定着装置２００は、加圧手段としての加圧ローラ２４０と、熱供給手段としての誘導加熱装置２５０と、シート分離ガイド板としてのセパレータ２６０と、シート搬送経路形成部材としての４つのシートガイド板２８１、２８２、２８３、２８４とを備えている。【００３９】  定着装置２００は、誘導加熱装置２５０により生成した磁界の作用によって、発熱ローラ２２０および定着ベルト２３０を加熱する。定着装置２００は、シートガイド板２８１、２８２、２８３、２８４に沿って搬送される記録紙Ｐ上の未定着画像を、加熱された定着ベルト２３０と加圧ローラ２４０との間の定着ニップ部Ｎで記録紙Ｐに加熱定着させる。【００４０���  図２において、発熱ローラ２２０は、中空円筒状の磁性金属部材からなる回転体で構成されている。この磁性金属部材は、たとえば、鉄、コバルト、ニッケルまたはこれら金属の合金などの金属を素材としている。発熱ローラ２２０は、図示しない支持側板に固定されたベアリングによってその両端が回転可能に支持されており、図示しない駆動手段によって回転駆動される。また、発熱ローラ２２０は、外径が２０ｍｍ、肉厚が０．３ｍｍの熱容量が低く昇温が速い構成となっており、そのキュリー点が３００℃以上となるように調整されている。【００４１】  定着ローラ２１０は、たとえば、ステンレススチールなどの金属からなる芯金を、ソリッド状または発泡状の耐熱性を有するシリコーンゴムからなる弾性部材で被覆して構成されている。定着ローラ２１０は、その外径が３０ｍｍ程度あり、発熱ローラ２２０の外径よりも大きく形成されている。前記弾性部材は、その肉厚を３〜８ｍｍ程度、硬度を１５〜５０°（Ａｓｋｅｒ硬度：ＪＩＳ  Ａの硬度では６〜２５°）程度としている。【００４２】  また、定着ローラ２１０には、加圧ローラ２４０が圧接している。この定着ローラ２１０と加圧ローラ２４０との圧接により、その圧接部に所定幅の定着ニップ部Ｎが形成される。【００４３】  定着ベルト２３０は、耐熱性ベルトで構成されており、発熱ローラ２２０と定着ローラ２１０とに懸架されている。発熱ローラ２２０は、後述する誘導加熱装置２５０によって誘導加熱される。その誘導加熱された発熱ローラ２２０の熱は、定着ベルト２３０との接触部位で定着ベルト２３０に伝導する。さらに、定着ベルト２３０は回転するため、定着ベルト２３０は全周に亘って加熱される。【００４４】  このような構成の定着装置２００は、発熱ローラ２２０の熱容量が定着ローラ２１０の熱容量よりも小さい。したがって、発熱ローラ２２０の温度を短時間で上昇させることができ、その加熱定着開始時におけるウォームアップ時間が短縮される。【００４５】  定着ベルト２３０の耐熱性ベルトは、発熱層、弾性層および離型層を備えた多層構造となっている。前記発熱層は、たとえば、鉄、コバルト、ニッケルなどの磁性を有する金属またはそれらを基材とする合金を素材としている。前記弾性層は、前記発熱層の表面を被覆するようにして設けられたシリコーンゴムまたはフッ素ゴムなどの弾性部材を素材としている。前記離型層は、ＰＴＦＥ（ＰｏｌｙＴｅｔｒａＦｌｕｏｒｏＥｔｈｙｌｅｎｅ）、ＰＦＡ（Ｔｅｔｒａ  ｆｌｕｏｒｏ  ｅｔｈｙｌｅｎｅ：テトラフルオロエチレン）、ＦＥＰ（Ｐｏｌｙｆｌｕｏｒｏ  ｅｔｈｙｌｅｎｅ  ｐｒｏｐｙｌｅｎｅ：四フッ化エチレン六フッ化プロピレン）、シリコーンゴム、フッ素ゴムなどの離型性の高い樹脂もしくはゴムまたはこれらを混合したものを素材としている。【００４６】  このような構成の定着ベルト２３０では、定着ベルト２３０と発熱ローラ２２０との間に何らかの原因で異物が混入してギャップが生じたとしても、その発熱層を誘導加熱装置２５０が誘導加熱することによって、定着ベルト自体を発熱させることができる。このように、定着ベルト２３０は、誘導加熱装置２５０によって直接に加熱されるため、その発熱効率が良くなり、またレスポンスが速くなる。すなわち、温度ムラが少なく加熱手段としての信頼性が高くなる。【００４７】  ただし、加熱手段として、発熱層の存在しない定着ベルトを使用することも可能である。その場合加熱の信頼性は低くなるが、より汎用性の高いベルトを使用することができるため、コスト的に有利になる。このような定着ベルトとしては、たとえば、発熱層の代わりにポリイミドで構成されるベルト基材に上記弾性層および離型層を形成したものを適用することができる。【００４８】  加圧ローラ２４０は、たとえば、銅またはアルミなどの熱伝導性の高い金属を素材とする円筒部材からなる芯金の表面に、耐熱性およびトナーに対する離型性の高い弾性部材を設けて構成されている。加圧ローラ２４０の芯金としては、これらの金属以外に、たとえば、ＳＵＳ（Ｓｔｅｅｌ  Ｕｓｅ  Ｓｔａｉｎｌｅｓｓ）（ＪＩＳ日本工業規格）を使用してもよい。【００４９】  加圧ローラ２４０は、上記のように、定着ベルト２３０を介して定着ローラ２１０に圧接することにより、記録紙Ｐを挟持して搬送する定着ニップ部Ｎを形成している。ここでは、加圧ローラ２４０の硬度を定着ローラ２１０の硬度よりも高くしている。これにより、定着ニップ部Ｎでは、加圧ローラ２４０の周面が定着ベルト２３０を介して定着ローラ２１０の周面に食い込むような状態となる。【００５０】  このため、加圧ローラ２４０は、その外径は定着ローラ２１０と同じ３０ｍｍ程度であるが、その肉厚は２〜５ｍｍ程度と定着ローラ２１０の肉厚よりも薄く構成されている。また、加圧ローラ２４０の硬度は、２０〜６０°（Ａｓｋｅｒ硬度：ＪＩＳ  Ａの硬度では６〜２５°）程度と定着ローラ２１０よりも硬く構成されている。【００５１】  このような構成の定着装置２００においては、記録紙Ｐは、加圧ローラ２４０の周面の表面形状に沿うように定着ニップ部Ｎを搬送される。これにより、記録紙Ｐの加熱定着面が定着ベルト２３０の表面から離れやすくなるという効果がある。【００５２】  なお、定着ニップ部Ｎの入口側近傍の定着ベルト２３０の内周面には、温度検出手段として、たとえば、サーミスタなどの熱応答性の高い感温素子からなる温度検出器２７０が配置されている。【００５３】  誘導加熱装置２５０は、温度検出器２７０が検出した定着ベルト２３０の内周面の温度に基づいて、前記未定着画像を画像定着させる際の温度を所定の値に維持するように制御される。【００５４】  次に、誘導加熱装置２５０の構成について説明する。誘導加熱装置２５０は、図２に示すように、定着ベルト２３０を介して発熱ローラ２２０の外周面に対向するように配置されている。誘導加熱装置２５０には、コイルガイド部材としての支持フレーム２５１が設けられている。この誘導加熱装置２５０は、難燃性の樹脂を素材としており、発熱ローラ２２０を覆うように湾曲形成されている。【００５５】  支持フレーム２５１の中心部には、サーモスタット２５２が配設されている。サーモスタット２５２の温度検出部分の一部は、支持フレーム２５１から発熱ローラ２２０および定着ベルト２３０に向けて表出している。【００５６】  支持フレーム２５１の外周面に巻回された磁界発生手段としての励磁コイル２５３は、図示しないインバータ回路に接続されている。サーモスタット２５２は、発熱ローラ２２０および定着ベルト２３０の温度が異常に高くなったことを検出したときに、この励磁コイル２５３とインバータ回路との接続を強制遮断する。【００５７】  励磁コイル２５３は、表面が絶縁された長い一本の励磁コイル線材を支持フレーム２５１に沿って発熱ローラ２２０の軸方向に交互に巻き付けて構成されている。この励磁コイル２５３の巻回部分の発熱ローラ２２０の軸方向の長さは、定着ベルト２３０と発熱ローラ２２０とが接する領域とほぼ同じ長さとなっている。【００５８】  励磁コイル２５３は、上記したインバータ回路に接続されており、このインバータ回路から１０ｋＨｚ〜１ＭＨｚ（好ましくは、２０ｋＨｚ〜８００ｋＨｚ）の高周波交流電流を給電されることによって交番磁界を発生する。この交番磁界は、発熱ローラ２２０と定着ベルト２３０との接触領域およびその近傍において、発熱ローラ２２０および定着ベルト２３０の発熱層に作用する。この交番磁界の作用によって、発熱ローラ２２０および定着ベルト２３０の発熱層の内部に上記交番磁界の変化を妨げる方向の渦電流が流れる。【００５９】  この渦電流は、発熱ローラ２２０および定着ベルト２３０の発熱層の抵抗に応じたジュール熱を発生させ、主として発熱ローラ２２０と定着ベルト２３０との接触領域およびその近傍において、発熱ローラ２２０および定着ベルト２３０を電磁誘導加熱する。【００６０】  一方、支持フレーム２５１には、励磁コイル２５３を囲むようにして、アーチコア２５４およびサイドコア２５５が設けられている。これらのアーチコア２５４およびサイドコア２５５は、励磁コイル２５３のインダクタンスを増大させ、励磁コイル２５３と発熱ローラ２２０との電磁結合を良好な状態にする。【００６１】  従って、この定着装置２００においては、アーチコア２５４およびサイドコア２５５の作用により、同じコイル電流でも多くの電力を発熱ローラ２２０へ投入することが可能となる。これにより、発熱ローラ２２０および定着ベルト２３０のウォームアップ時間を短縮することができる。【００６２】  また、支持フレーム２５１には、誘導加熱装置２５０の内部のアーチコア２５４およびサーモスタット２５２を覆うように屋根型に形成された樹脂製のハウジング２５６が取り付けられている。このハウジング２５６には、図示しない複数の放熱孔が形成されており、支持フレーム２５１や励磁コイル２５３、アーチコア２５４などの装置部から発生した熱を、外部に放出できるようになっている。なお、ハウジング２５６は、たとえば、アルミニウムなどの樹脂以外の素材で形成してもよい。【００６３】  また、支持フレーム２５１には、ハウジング２５６に形成された放熱孔を塞がないような配置で、ハウジング２５６の外面を覆うショートリング２５７が取り付けられている。ショートリング２５７は、アーチコア２５４の背面に位置しており、アーチコア２５４の背面から外部に漏れ出るわずかな漏れ磁束を打ち消す方向に渦電流を発生させる。これにより、漏れ磁束の磁界を打ち消す方向に磁界が発生し、漏れ磁束による不要な輻射が防止される。【００６４】  図３は、定着装置２００の機能的構��を示すブロック図である。定着装置２００は、主に、モード切替部３０１、発熱量制御部３０２、回転速度制御部３０３、目標温度格納部３０４、回転速度格納部３０５、およびタイマ３０６から構成される。モード切替部３０１は、画像形成装置１００の動作のモードの設定および切り替えを行う。発熱量制御部３０２は、定着装置２００の発熱量を制御する。回転速度制御部３０３は、発熱ローラ２２０および定着ベルト２３０の回転速度を制御する。目標温度格納部３０４は、画像形成装置１００の動作のモードごとに定められた発熱ローラ２２０および定着ベルト２３０の各目標温度を予め格納している。回転速度格納部３０５は、画像形成装置１００の動作のモードごとに定められた定着ベルト２３０の回転速度を予め格納している。タイマ３０６は、回転速度制御部３０３によって後述する回転速度制御処理で使用される。【００６５】  定着装置２００は、図示しないが、ＣＰＵ（Ｃｅｎｔｒａｌ  Ｐｒｏｃｅｓｓｉｎｇ  Ｕｎｉｔ）と、制御プログラムを格納したＲＯＭ（Ｒｅａｄ  Ｏｎｌｙ  Ｍｅｍｏｒｙ）などの記憶媒体と、ＲＡＭ（Ｒａｎｄｏｍ  Ａｃｃｅｓｓ  Ｍｅｍｏｒｙ）などの作業用メモリと、ＡＤ（Ａｎａｌｏｇ  ｔｏ  Ｄｉｇｉｔａｌ）コンバータなどの回路装置とを備えている。図３に示す各部の機能は、ＣＰＵが所定の制御プログラム実行することにより実現される。【００６６】  まず、モード切替部３０１の機能について説明する。モード切替部３０１は、普通紙にモノクロ画像を印字するためのモノクロ普通紙印字モード（以下、適宜「モノクロ印字モード」または「普通紙印字モード」という）と、普通紙にカラー画像を印字するためのカラー普通紙印字モードと、印字は行わないが加熱手段をウォームアップしておくスタンバイモード（待機モード）を切り替えて設定する。この切り替えは、図示しないホスト装置（たとえば、ユーザ使用のパーソナルコンピュータ）からの印字動作開始の指示や、画像形成装置１００に備えられた図示しないキースイッチの操作、図示しない排紙センサを使用した印字終了の検出などに基づいて行われる。【００６７】  図１に示す画像形成装置１００は、ホスト装置から印字モードを指定して印字動作開始を指示されると、図１および図２で説明した画像形成動作を開始する。このとき、モード切替部３０１は、画像形成装置１００の各部がその指定された印字モードに対応する動作を行うように、各部を制御する。発熱量制御部３０２および回転速度制御部３０３に対しては、指定された印字モードをそれぞれに通知する。また、排紙センサにより印字終了が検出されると、画像形成装置１００の各部の動作をスタンバイモードに移行させる。発熱量制御部３０２および回転速度制御部３０３に対しては、スタンバイモードへ移行する旨をそれぞれに通知する。【００６８】  次に、本実施の形態１に係る定着装置２００の発熱量制御部３０２の構成およびその機能について説明する。図４は、発熱量制御部３０２の機能的構成を示すブロック図である。【００６９】  図４に示すように、発熱量制御部３０２は、主に、供給電力演算部３１１、電力設定部３１２、温度検出部３１３、電圧値検出部３１４、電流値検出部３１５、電力値演算部３１６、およびリミッタ制御部３１７から構成される。【００７０】  図２に示す誘導加熱装置２５０は、既に説明したように、記録紙Ｐ上に二次転写された未定着のフルカラー画像を加熱定着させるために、発熱ローラ２２０および定着ベルト２３０を加熱する。供給電力演算部３１１は、この誘導加熱装置２５０に供給すべき電力値を演算する。【００７１】  電力設定部３１２は、供給電力演算部３１１で算出された電力値を、励磁コイル２５３を駆動する上記したインバータ回路へ出力する。【００７２】  この電力設定部３１２に設定された値（レジスタ値）に応じて、上記インバータ回路へ出力する電力値が制御される。この電力値の制御により、誘導加熱装置２５０による発熱量、つまり、記録紙Ｐに未定着画像を定着するための発熱ローラ２２０および定着ベルト２３０の温度が制御される。【００７３】  誘導加熱装置２５０に供給する電力の値を演算するために必要な情報には、定着装置２００の画像定着温度と、前記インバータ回路に実際に供給されている電力の値とがある。定着装置２００の画像定着温度は、温度検出部３１３から得られる。また、前記インバータ回路に実際に供給されている電力の値は、電力値演算部３１６から得られる。【００７４】  温度検出部３１３は、定着ニップ部Ｎの入口側近傍の定着ベルト２３０の内面側に当接して配置された温度検出器２７０からのアナログ出力をディジタルデータに変換し、供給電力演算部３１１に出力する。【００７５】  図２に示す定着装置２００には、図示しないが、上記インバータ回路への入力電圧を検出する電圧検出器と、上記インバータ回路への入力電流を検出する電流検出器が備えられている。電圧値検出部３１４は、電圧検出器の検出結果をディジタルデータに変換し、インバータ回路への入力電圧値を出力する。電流値検出部３１５は、電流検出器の検出結果をディジタルデータに変換し、インバータ回路への入力電流値を出力する。なお、電流値については励磁コイル２５３に流れる電流値を検出して制御に用いることも可能である。【００７６】  電力値演算部３１６は、電圧値検出部３１４と電流値検出部３１５からのそれぞれの出力を乗算することによりインバータ回路への入力電力値を求める方法を採用している。【００７７】  電圧値検出部３１４は、演算結果を供給電力演算部３１１に出力する。【００７８】  供給電力演算部３１１は、モード切替部３０１からモードが通知されるたびに、目標温度格納部３０４を参照して該当する目標温度を取得する。そして、取得した目標温度に発熱ローラ２２０および定着ベルト２３０の温度が一致するように、定期的（ここでは、１０ｍｓごと）に、温度検出部３１３からのデータおよび電力値演算部３１６からのデータを取得しながら電力設定部３１２に演算値（レジスタ値）を設定する。具体的には、供給電力演算部３１１は、レジスタ値を調整することによって、励磁コイル２５３から発生する磁束の強度を制御する。このように、供給電力演算部３１１が電力設定部３１２に演算値を設定することにより、記録紙Ｐに未定着画像を定着させるための発熱ローラ２２０および定着ベルト２３０の温度が制御される。【００７９】  リミッタ制御部３１７は、電力設定部３１２に設���される電力の値を最終チェックする。すなわち、リミッタ制御部３１７は、予め定められたリミット値を越えた値が電力設定部３１２に設定されようとした時、または、電力値演算部３１６による演算結果が予め定められた値よりも大きい値であった場合に、電力設定部３１２に設定するデータを所定の規定値に変更する制御を行う。【００８０】  より具体的には、リミッタ制御部３１７は、たとえば、リミット値がデータでＡＡＨＥＸ（ＨＥＸａｄｅｃｉｍａｌ  ｎｕｍｂｅｒ：１６進数）で、供給電力演算部３１１で演算された値がＡＡＨＥＸよりも大きい場合に、電力設定部３１２に設定する値として目標電力の８０％に相当する電力値を強制的に設定する。また、リミッタ制御部３１７は、電力値演算部３１１による演算結果が、たとえば、１１５０Ｗ（ワット）以上であった場合にも同様の処理を行う。【００８１】  なお、実際には、前記電力値を設定する際には上限値および下限値で制限されているので、上記のようなリミット値に達することはないはずである。しかし、電流値や電圧値を取得するためのＡＤコンバータのラインにノイズが発生してデータを誤検出した場合に備えて、このようなリミット制御を設けることが望ましい。【００８２】  次に、回転速度制御部３０３の機能について説明するが、これに先立って、回転速度格納部３０５の格納内容について説明する。回転速度格納部３０５は、普通紙印字モードに対応して回転速度２５０ｍｍ／ｓを、カラー普通紙印字モードに対応して回転速度１５０ｍｍ／ｓを、スタンバイモードに対応して回転速度の１００ｍｍ／ｓを、それぞれ格納している。以下、２５０ｍｍ／ｓを第一の回転速度といい、１００ｍｍ／ｓを第二の回転速度という。さらに、回転速度格納部３０５は、第一の回転速度と第二の回転速度の中間の回転速度として、第三の回転速度１７０ｍｍ／ｓを格納している。【００８３】  図５は、回転速度制御部３０３による回転速度制御処理の流れを表すフロー図である。回転速度制御部３０３は、モード切替部３０１からモードを通知され（Ｓ４０１：ＹＥＳ）、かつ、直前のモードが普通紙印字モードであってスタンバイモードが通知された場合（Ｓ４０２：ＹＥＳ）、発熱ローラ２２０および定着ベルト２３０の回転速度を第三の回転速度に変更する（Ｓ４０３）。そして、タイマ３０６による時間の測定をスタートさせ（Ｓ４０４）、測定時間が所定の時間に達すると（Ｓ４０５：ＹＥＳ）、発熱ローラ２２０および定着ベルト２３０の回転速度を通知されたモードの回転速度に変更する（Ｓ４０６）。この所定の時間には、たとえば、１秒が設定される。そして、たとえば、モードが固定されるなどして処理の終了が指示された場合には（Ｓ４０７：ＹＥＳ）、一連の処理を終了するが、特に処理の終了が指示されない場合には（Ｓ４０７：ＮＯ）、再びステップＳ４０１へ戻る。【００８４】  一方、モード切替部３０１からモードが通知されたものの（Ｓ４０１：ＹＥＳ）、直前のモードが普通紙印字モードではなかった場合、または、通知されたモードがスタンバイモードではない場合には（Ｓ４０２：ＮＯ）、ステップＳ４０６へそのまま進み、第三の回転速度への変更を行うことなく直接に通知されたモードの回転速���への変更を行う。【００８５】  なお、ステップＳ４０５でしきい値として使用される所定時間は、たとえば、第三の回転速度で回転させる時間長さを徐々に短くしながら実験やシミュレーションで発生するオーバシュートの大きさを測定し、オーバシュートの大きさが予め定められた許容値以下に収まるような時間長さを特定し、これを適用するようにすればよい。さらに、周囲温度を検出し、その検出結果に応じて所定時間を適切な値に調整するようにしてもよい。【００８６】  図６は、実施の形態１に係る定着装置２００による定着ベルト２３０の温度変化のシミュレーション結果を示す図である。ここでは、画像形成装置１００のモードが普通紙印字モードに設定された状態で印字が行われ、その印字終了後にスタンバイモードへと移行する場合のシミュレーション結果を示す。【００８７】  定着装置２００では、スタンバイモードからの復帰後に最初の印字が可能となるまでの時間を短縮するために、スタンバイモード時に予熱を行っている。定着装置２００は、上記のように、熱源に電磁誘導加熱を用いたコイル外包式ベルト定着装置であり、定着ベルト２３０および発熱ローラ２２０の一部を加熱し、それらが回転することにより定着ベルト２３０全体に熱を伝える構成となっている。この構成の場合、発熱ローラ２２０および定着ベルト２３０を停止させた状態で予熱を行うとベルトが部分的に高温になり破壊する可能性があるため、これらの装置部が回転している状態で予熱を行わなければならない。定着装置２００の寿命などを考慮すると、発熱ローラ２２０および定着ベルト２３０を無駄に回転させることを避けることが望ましい。【００８８】  このため、この定着装置２００では、スタンバイモードにおける回転速度として、最も遅い回転速度が設定されている印字モードの回転速度を採用している。以降、定着ベルト２３０の回転速度を、定着ベルト２３０の外周部の移動速度で表すものとする。【００８９】  上記のように、発熱ローラ２２０および定着ベルト２３０の回転速度は、モノクロ印字モードで２５０ｍｍ／ｓであり、スタンバイモードでは１００ｍｍ／ｓである。【００９０】  定着装置２００では、上記のように、発熱ローラ２２０の熱を定着ベルト２３０に伝導させる。あるいは、電磁誘導加熱などにより定着ベルト２３０をある区域で加熱し定着ニップ部Ｎに熱を搬送する。そのため、印字モードの変更などにより回転速度が低速に変更になった瞬間、定着ベルト２３０が加熱される区域を通過する時間が増え、定着ベルト２３０に供給される単位時間あたりの熱量が増加する。その後、増加した熱量の測定によって、適切な加熱量に制御されるが、一時的に定着ベルト２３０の温度が大きくオーバシュートすることになる。【００９１】  定着装置２００は、モードが移行する際に、その前後での定着ベルト２３０の回転速度の比が０．５以下である場合には、その中間の回転速度で所定時間回転させる。最も早い第一の回転速度２５０ｍｍ／ｓから最も遅い第二の回転速度１００ｍｍ／ｓへと移行するケースで、その比は０．５以下となる。したがって、普通紙モノクロ印字モードからスタンバイモードに移行する際、普通紙印字の後に、その中間の速度である第三の回転速��１７０ｍｍ／ｓで１秒間動作し、次に１００ｍｍ／ｓに変更する。これにより、定着ベルト２３０の回転速度が低速に変更する際に、発熱ローラ２２０や定着ベルト２３０の温度に大きなオーバシュートが発生するのを抑えることが可能となる。【００９２】  この場合、図６に示すように、定着ベルト２３０の温度曲線３５１では、オーバシュートがふた山になり、その普通紙印字モードおよびスタンバイモードでの目標温度に対する温度差をそれぞれ６℃程度に抑えることができた。【００９３】  また、定着装置２００のカラー普通紙印字モードの印刷速度は１５０ｍｍ／ｓである。モノクロ印字モードからカラー普通紙印字モードに移行する場合は、定着ベルト２３０の回転速度は２５０ｍｍ／ｓから１５０ｍｍ／ｓに変化するが、その速度比は０．５以下とはならない。したがって、この場合は、中間の速度を経ずに、回転速度を直接２５０ｍｍ／ｓから１５０ｍｍ／ｓに変更する。【００９４】  以上説明したように、本実施の形態に係る定着装置２００によれば、あるモードから加熱手段の回転速度が大幅に少なくなる他のモードへ切り替わるときに、加熱手段の回転速度を直接に変更するのではなく、中間の回転速度で回転させる区間を設けるようにしている。これにより、発熱ローラ２２０や定着ベルト２３０の温度に大きなオーバシュートが発生するのを抑えることができ、装置の信頼性を高めることができるとともに、超寿命化を図ることができる。【００９５】  なお、実施の形態１では、定着装置２００はタンデム方式の画像形成装置１００に搭載されるものとして説明したが、これに限定されるものではなく、あらゆる方式の画像形成装置に搭載可能であることはいうまでもない。また、加熱手段として定着ベルト２３０を使用する定着装置２００を例として説明したが、これに限定されるものではなく、定着ベルト２３０を使用せず、定着ローラ２１０が発熱ローラ２２０を兼ねた構成としてもよい。すなわち、定着ローラ２１０により記録紙Ｐ上の未定着画像を直接加熱定着するように構成してもよい。【００９６】  （実施の形態２）
次に、本発明の実施の形態２に係る定着装置について説明する。以下、実施の形態１と同様の構成や動作を行う部分については説明を省略し、また同様の機能を有する要素については同じ番号を付与する。実施の形態２に係る定着装置は、実施の形態１の図１と同様の画像形成装置に適用されるものであり、その構成は、実施の形態１の図２と同様である。ただし、機能的構成については、実施の形態１に係る定着装置とは異なっている。【００９７】  図７は、実施の形態２に係る定着装置の機能的構成を示すブロック図であり、実施の形態１の図３に対応するものである。この定着装置５００は、実施の形態１と同様にモノクロ普通紙印字モード、カラー普通紙印字モード、およびスタンバイモードに加えて、さらにＯＨＰシートに対する印字を行うためのカラー特殊紙印字モードを設定するモード切替部６０１を備えている。また、各印字モードでの印字速度は実施の形態１とは異なっていることから、実施の形態１の目標温度格納部３０４と回転速度格納部３０５とはそれぞれ格納内容が異なる目標温度格納部６０４および回転速度格納部６０５を備えている。さらに、実施の形態１の回転速度制御部３０３とは異なる処理を行う回転速度制御部６０３を備えている。【００９８】  回転速度格納部６０５は、モノクロ印字モードに対応して回転速度１７０ｍｍ／ｓを、カラー普通紙印字モードに対応して回転速度１０５ｍｍ／ｓを、カラー特殊紙印字モードおよびスタンバイモードに対応して５２．５ｍｍ／ｓを、それぞれ格納している。以下、１７０ｍｍ／ｓを第一の回転速度といい、５２．５ｍｍ／ｓを第二の回転速度といい、１０５ｍｍ／ｓを第三の回転速度という。【００９９】  また、目標温度格納部６０４は、たとえば、モノクロ印字モードに対応して目標温度１７０℃を、カラー普通紙印字モードに対応して目標温度１７５℃をそれぞれ格納している。また、スタンバイモードのときの目標温度は、ファーストプリントの時間を短縮するために、温度の高い方を基準としている。したがって、目標温度格納部６０４は、スタンバイモードに対応して、目標温度１７５℃を格納している。【０１００】  図８は、回転速度制御部６０３による回転速度制御処理の流れを表すフロー図であり、図５に対応するものである。回転速度制御部６０３は、モード切替部６０１からモードを通知されると（Ｓ７０１：ＹＥＳ）、直前のモードの回転速度に対する通知されたモードの回転速度の比が所定値以下となるか否かを判別する（Ｓ７０２）。この所定値には、たとえば、０．５が設定される。【０１０１】  回転速度の比が所定値以下である場合には（Ｓ７０２：ＹＥＳ）、回転速度制御部６０３は、温度のオーバシュートが過大になるとして、発熱ローラ２２０および定着ベルト２３０の回転速度を、直前のモードの回転速度と通知されたモードの回転速度の間の回転速度に変更する（Ｓ７０３）。【０１０２】  そして、回転速度制御部３０３は、タイマ３０６による時間の測定をスタートさせ（Ｓ７０４）、測定時間が予め定められた所定の時間に達すると（Ｓ７０５：ＹＥＳ）、発熱ローラ２２０および定着ベルト２３０の回転速度を通知されたモードの回転速度へ変更する（Ｓ７０６）。この所定の時間には、たとえば、１秒が設定される。そして、処理の終了が指示された場合、たとえば、モードが固定されたような場合には（Ｓ７０７：ＹＥＳ）、一連の処理を終了するが、特に処理の終了が指示されない場合には（Ｓ７０７：ＮＯ）、再びステップＳ７０１へ戻る。なお、ステップＳ７０２での判別と、ステップＳ７０３およびステップＳ７０６での変更先の回転速度の決定は、回転速度格納部６０５を参照して行われる。【０１０３】  一方、直前のモードの回転速度に対する通知されたモードの回転速度の比が所定値以下ではない場合には（Ｓ７０２：ＮＯ）、ステップＳ７０６へそのまま進み、中間の回転速度への変更を行うことなく直接に通知されたモードの回転速度への変更を行う。【０１０４】  なお、ステップＳ７０２でしきい値として使用される所定値は、たとえば、変更前の回転速度と変更後の回転速度の様々な組み合わせパターンについて実験やシミュレーションで発生するオーバシュートの大きさを測定し、それぞれの速度比とオーバシュートの大きさとの関係を解析し、オーバシュートが予め定められた許容値以下に収まるような速度比を特定し、これを適用するようにすればよい。さらに、周囲温度を検出し、その検出結果に応じて所定値を適切な値に調整するようにしてもよい。また、ステップＳ７０２で、回転速度の比が所定値以下か否かを判別するのではなく、所定値よりも小さいか否かを判別するようにしてもよい。この場合には、所定値よりも小さい場合にはステップＳ７０３へ進み、小さくない場合にはステップＳ７０６へ進む。【０１０５】  また、ステップＳ７０５でしきい値として使用される所定時間は、たとえば、変更前の回転速度に対する変更後の回転速度の速度比との関係を実験やシミュレーションで解析し、その解析結果に基づいていずれの速度比についてもオーバシュートが許容範囲となる共通の値を適用してもよいし、速度比ごとにオーバシュートが許容範囲となる最小値を特定し、速度比ごとにその最小値を適用するようにしてもよい。さらに、周囲温度を検出し、その検出結果に応じて所定時間を適切な値に調整するようにしてもよい。【０１０６】  図９は、実施の形態２に係る定着装置５００による定着ベルト２３０の温度変化のシミュレーション結果を示す説明図である。ここでは、画像形成装置１００のモードがモノクロ印字モードに設定された状態で印字が行われ、その印字終了後にスタンバイモードへと移行する場合のシミュレーション結果を示す。【０１０７】  この場合、第一の回転速度１７０ｍｍ／ｓから第二の回転速度５２．５ｍｍ／ｓに回転速度が低下する。このように第一の回転速度の絶対値が低くても、その速度比が０．５以下となる場合には、定着ベルト２３０の温度に大きなオーバシュートが発生する。そこで、モノクロ印字モードからスタンバイモードに移行する途中で、カラー普通紙印字モードの印字速度である第三の回転速度１０５ｍｍ／ｓで１秒回転させる。これにより、オーバシュートのピークを分散させることができ、オーバシュートを低減させることが可能となる。なお、第一の回転速度１７０ｍｍ／ｓから第三の回転速度１０５ｍｍ／ｓへの速度変更と、第三の回転速度１０５ｍｍ／ｓから第二の回転速度５２．５ｍｍ��ｓへの速度変更は、中間の回転速度での回転を経ずに直接行われる。【０１０８】  さらに、モノクロ印字モードからスタンバイモードに移行する際には、定着温度も１７０℃から１７５℃へと設定変更される。ところが、このように目標温度を低い温度から高い温度に変更した際、一時的に誘導加熱装置２５０に供給される電力が増加し、定着ベルト２３０の温度がより大きくオーバシュートする。【０１０９】  そこで、この実施の形態２の定着装置２００では、定着ベルト２３０の回転速度を１７０ｍｍ／ｓから１０５ｍｍ／ｓに変更する際に、先に目標温度が変更され、上記所定値に相当する時間経過後に回転速度が５２．５ｍｍ／ｓに変更される。【０１１０】  この場合、図９に示すように、定着ベルト２３０の温度曲線３５１ａでは、オーバシュートはふた山になり、そのスタンバイモードでの目標温度に対する温度差をそれぞれ７℃程度に抑えることができた。また、これにより、スタンバイモード時の目標温度への収束を素早く行うことができた。【０１１１】  （実施の形態３）
次に、本発明の実施の形態３に係る定着装置について説明する。以下、実施の形態１と同様の構成や動作を行う部分については説明を省略し、また同様の機能を有する要素については同じ番号を付与する。実施の形態３に係る定着装置は、実施の形態１の図１と同様の画像形成装置に適用されるものである。【０１１２】  図１０は、本発明の実施の形態３に係る定着装置８００の構成を示す概略断面図である。定着装置８００は、ベルト構成ではなくローラ構成であるが、外部加熱電磁誘導加熱方式を採用している。具体的には、定着ローラ８１０は、実施の形態１の発熱ローラ２２０と同様に発熱層を有している。そして、その外周面を加圧ローラ２４０の外周面に接触させ、トナー２９０が転写された記録紙Ｐを挟持して搬送するニップ部Ｎを形成している。また、この定着ローラ８１０の外周面のうちニップ部Ｎから離れた位置には、実施の形態１と同様に励磁コイル２５３が対向配置されている。また、この励磁コイル２５３を囲むようにして、アーチコア２５４が配置されている。すなわち、定着ローラ８１０の一部分を急速加熱し、定着ローラ８１０を回転させることでその外周面全体を加熱する構成となっている。【０１１３】  この定着装置８００では、定着ローラ８１０の一部を加熱する構成であり、温度検出器２７０が加熱部分の下流に位置していることから、加熱とその温度検知にタイムラグが生じる。したがって、定着ローラ８１０の回転速度が急に低下すると、定着ローラ８１０上の一部だけ急速に加熱されてしまい、異常に高温となる恐れがある。しかし、図５に示す制御内容を実行することにより、定着ローラ８１０の回転速度の変更時にその温度のオーバシュートを低減させることができ、図６と同等の温度変化のシミュレーション結果を得ることができた。【０１１４】  （比較例１）
次に、比較参考のために、実施の形態１で説明した定着装置において、中間の回転速度を用いない場合の温度変化のシミュレーション結果について、比較例１として説明を行う。【０１１５】  この比較例１では、実施の形態１の第三の回転速度を用いず、定着ベルト２３０の回転速度を、普通紙印字モードの第一の回転速度２５０ｍｍ／ｓからスタンバイモードの第二の回転速度１００ｍｍ／ｓに直接移行させた。図１１は、このような比較例１による定着ベルト２３０の温度変化のシミュレーション結果を示す説明図である。モード移行の際、速度変更により定着ベルト２３０の温度曲線３５１ｂには大きなオーバシュートが発生し、その普通紙印字モードおよびスタンバイモードでの目標温度に対する温度差は約２０℃であった。【０１１６】  （比較例２）
次に、比較参考のために、実施の形態２で説明した定着装置において、中間の回転速度を用いない場合の温度変化のシミュレーション結果について、比較例２として説明を行う。【０１１７】  この比較例２では、実施の形態２の第三の回転速度を用いず、定着ベルト２３０の回転速度を、モノクロ印字モードの第一の回転速度１７０ｍｍ／ｓからスタンバイモードの第二の回転速度５２．５ｍｍ／ｓに直接に移行させた。図１２は、このような比較例２による定着ベルト２３０の温度変化のシミュレーション結果を示す説明図である。モード移行の際、回転速度変更と目標温度変更により定着ベルト２３０の温度曲線３５１ｃには大きなオーバシュートが発生し、そのスタンバイモードでの目標温度に対する温度差は約２５℃であった。【０１１８】  その際、定着ベルト２３０の温度は２００℃以上であるが、さらに、低温環境における温度補正が実施される場合、２０５℃以上となることがある。これにより、サーミスタのばらつきによっては高温エラーが発生し、定着装置が異常停止する恐れがある。本発明の実施の形態１〜３の各定着装置によれば、加熱手段の温度のオーバシュートを低減するだけでなく、従来の手法では発生し得るこれらの事態を防止することができる。【０１１９】  本明細書は、２００５年３月１０日出願の特願２００５−０６６９９５に基づく。この内容はすべてここに含めておく。
【産業上の利用可能性】
【０１２０】  本発明に係る定着装置は、加熱手段の温度のオーバシュートを小さくすることができるので、複写機やファクシミリ、プリンタなどの画像形成装置の定着装置として有用である。
【図１】
2006095782.tif 000002
【図２】
2006095782.tif 000003
【図３】
2006095782.tif 000004
【図４】
2006095782.tif 000005
【図５】
2006095782.tif 000006
【図６】
2006095782.tif 000007
【図７】
2006095782.tif 000008
【図８】
2006095782.tif 000009
【図９】
2006095782.tif 000010
【図１０】
2006095782.tif 000011
【図１１】
2006095782.tif 000012
【図１２】
2006095782.tif 000013
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
熱によって画像を記録紙に定着させる回転可能な加熱手段と、
前記加熱手段との間で記録紙を加圧搬送する加圧手段と、
前記加熱手段が第一の回転速度で回転する一のモードから前記加熱手段が第二の回転速度で回転する他のモードへ移行するとき、前記加熱手段を前記第一の回転速度と前記第二の回転速度との間の第三の回転速度で所定時間回転させる回転速度制御手段と、
を具備する定着装置。
【請求項２】
前記回転速度制御手段は、
前記第一の回転速度に対する前記第二の回転速度の割合が所定値よりも小さい場合、前記加熱手段を前記第三の回転速度で所定時間回転させ、その後、前記加熱手段の回転速度を、前記所定の回転速度から、前記他のモードに対応する回転速度に変更する、
請求項１記載の定着装置。
【請求項３】
前記回転速度制御手段は、
前記第一の回転速度に対する前記第二の回転速度の割合が前記所定値以上の場合、前記加熱手段の回転速度を直接前記第一の回転速度から前記第二の回転速度に変更する、
請求項２記載の定着装置。
【請求項４】
前記所定値は、０.５である、請求項２記載の定着装置。
【請求項５】
熱によって画像を記録紙に定着させる回転可能な加熱手段と、
前記加熱手段との間で記録紙を加圧搬送する加圧手段と、
前記加熱手段が第一の回転速度で回転する第一のモードと、前記加熱手段が前記第一の回転速度よりも低い第二の回転速度で回転する第二のモードと、前記加熱手段が前記第一の回転速度よりも低く前記第二の回転速度よりも高い第三の回転速度で回転する第三のモードとを切り替えて設定するモード切替手段と、
前記モード切替手段によって前記第一のモードから前記第二のモードへ切り替えられるとき、前記加熱手段を前記第一の回転速度と前記第二の回転速度との間の所定の回転速度で所定時間回転させる回転速度制御手段と、
を具備する定着装置。
【請求項６】
前記回転制御手段は、
前記加熱手段を、前記第一の回転速度と前記第二の回転速度との間の所定の回転速度で、所定時間回転させた後、
前記加熱手段の回転速度を、前記所定の回転速度から、前記第二の回転速度に変更する、請求項５記載の定着装置。
【請求項７】
前記所定の回転速度は、前記第三の回転速度である、請求項５記載の定着装置。
【請求項８】
前記回転速度制御手段は、
前記モード切替手段によって前記第一のモードから前記第二のモードへ切り替えられるとき、前記加熱手段の回転速度を、前記第一の回転速度から、前記第三の回転速度に変更し、所定時間回転させた後、前記第二の回転速度に変更する、請求項７記載の定着装置。
【請求項９】
前記回転速度制御手段は、
前記モード切替手段によって前記第一のモードから第三のモードへ切り替えられるとき、前記加熱手段の回転速度を直接前記第一の回転速度から前記第三の回転速度に変更する、
請求項５記載の定着装置。
【請求項１０】
前記回転速度制御手段は、
前記モード切替手段によって前記第三のモードから前記第二のモードへ切り替えられるとき、前記加熱手段の回転速度を直接前記第三の回転速度から前記第二の回転速度に変更する、
請求項５記載の定着装置。
【請求項１１】
前記加熱手段は、回転によって熱を搬送して画像を記録紙に定着させ、
前記各モードにおいて、前記加熱手段の熱搬送部位の目標温度を前記各モードに応じた値に設定する目標温度設定手段と、
前記目標温度設定手段によって設定された目標温度に応じた熱を前記加熱手段に供給する熱供給手段と、
を更に具備する請求項５記載の定着装置
【請求項１２】
前記第一のモードは、モノクロ普通紙の印字モードに対応し、
前記第一の回転速度は、モノクロ普通紙の印字速度に対応する前記加熱手段の回転速度であり、
前記第二のモードは、印字を行わない待機モードに対応し、
前記第二の回転速度は、待機モードにおける回転速度に対応する前記加熱手段の回転速度であり、
前記第三のモードは、カラー普通紙の印字モードに対応し、
前記第三の回転速度は、カラー普通紙の印字速度に対応する前記加熱手段の回転速度であり、
前記第二の回転速度は、前記第一の回転速度の半分以下の回転速度である、
請求項５記載の定着装置。
【請求項１３】
前記第一のモードは、モノクロ普通紙の印字モードに対応し、
前記第一の回転速度は、モノクロ普通紙の印字速度に対応する前記加熱手段の回転速度であり、
前記第二のモードは、カラー特殊紙の印字モードに対応し、
前記第二の回転速度は、カラー特殊紙の印字速度に対応する前記加熱手段の回転速度であり、
前記第三のモードは、カラー普通紙の印字モードに対応し、
前記第三の回転速度は、カラー普通紙の印字速度に対応する前記加熱手段の回転速度であり、
前記第二の回転速度は、前記第三の回転速度の半分以下の回転速度である、
請求項５記載の定着装置。
【請求項１４】
前記加熱手段の目標温度に応じた磁束を発生させる磁束発生手段、を更に具備し、
前記加熱手段は、
前記磁束発生手段によって発生された磁束に基づく電磁誘導によって発生した熱を搬送する、
請求項１記載の定着装置。
【請求項１５】
前記熱供給手段は、
前記加熱手段の目標温度に応じた磁束を発生させる磁束発生手段であり、
前記加熱手段は、
前記磁束発生手段によって発生された磁束に基づく電磁誘導によって発生した熱を搬送する、
請求項１１記載の定着装置。
【請求項１６】
前記加熱手段は、
少なくとも離型層と前記電磁誘導によって発熱する発熱層とを有する定着ローラである、
請求項１４記載の定着装置。
【請求項１７】
前記加熱手段は、
少なくとも離型層と前記電磁誘導によって発熱する発熱層とを有する定着ベルト、弾性層を有する定着ローラ、および支持ローラからなる、
請求項１４記載の定着装置。
【請求項１８】
前記支持ローラは、
前記電磁誘導によって発熱する発熱ローラである、
請求項１７記載の定着装置。
【請求項１９】
記録紙に画像を転写する画像転写装置と、
前記画像転写手段によって記録紙に転写された画像を熱によって定着させる回転可能な加熱手段と、前記加熱手段との間で記録紙を加圧搬送する加圧手段と、前記加熱手段が第一の回転速度で回転する一のモードから前記加熱手段が第二の回転速度で回転する他のモードへ移行する場合、前記加熱手段を前記第一の回転速度と前記第二の回転速度との間の第三の回転速度で所定時間回転させる回転速度制御手段と、を備えた定着装置と、
を具備する画像形成装置。
【手続補正２】
【補正対象書類名】明細書
【補正対象項目名】全文
【補正方法】変更
【補正の内容】
【発明の詳細な説明】
【技術分野】
【０００１】
本発明は、回転する加熱手段を用いて記録紙を加熱する定着装置に関し、特に電子写真方式または静電記録方式の複写機や複合機、ファクシミリ、プリンタなどの画像形成装置に好適な定着装置に関する。
【背景技術】
【０００２】
電磁誘導加熱方式の加熱装置は、一般に、調理テーブルや電気釜などに使用されている。近年、このような電磁誘導加熱方式の加熱装置を複写機やファクシミリ、プリンタなどの画像形成装置における定着装置に適用することが盛んに検討されている。
【０００３】
電磁誘導加熱方式の加熱装置を用いた定着装置では、磁束発生手段が発生する磁束を発熱体の発熱層に透過させ、この磁束の透過により生じた渦電流によって発熱層を発熱させる。そして、この発熱により加熱された発熱体の熱で、コピー用紙またはＯＨＰ（OverHead Projector）シートなどの記録紙上に形成された未定着画像を、直接的または間接的に加熱定着させるようにしている。
【０００４】
具体的には、たとえば、定着ローラまたは定着ベルトなどからなる発熱体に導電体からなる発熱層を形成する。また、記録紙の通紙経路を挟んで発熱体と加圧ローラとを圧接させて配置し記録紙を挟持して搬送するニップ部を形成する。さらに、強磁性体からなるコアに励磁コイルを巻回して構成される磁束発生手段を配置する。ただし、その励磁コイルは、発熱体の発熱層に対向するように配置する。そして、励磁コイルに所定の周波数の交流電流を印加し、励磁コイルの周囲に磁束を発生させて磁界を形成し、この磁界の作用で生じた渦電流により発熱体の発熱層を発熱させる。この状態で、発熱体と加圧ローラとのニップ部に記録紙を送り込み、発熱層の発熱により加熱された発熱体の熱と加圧ローラの圧力とにより記録紙上の未定着画像を定着する。
【０００５】
このような電磁誘導加熱方式の加熱装置を用いた定着装置は、ハロゲンランプを熱源とする熱ローラ方式の定着装置と比較して、より発熱効率が高く、所定の定着温度に発熱するまでのウォームアップ時間を短くすることができるという利点を有している。
【０００６】
しかし、加熱力が強いため、特に低い熱容量の定着装置において装置を回転させずに加熱した場合に、局部的に温度上昇が起こり、部分的にローラやベルトが熱破壊してしまう恐れがある。そのため、電磁誘導加熱は定着装置の回転中のみに限られ、装置のスタンバイ中に発熱させる場合にはスタンバイ中にも低速で回転させるなどの対策が必要となる（たとえば、特許文献１参照）。
【０００７】
ところで、連続印字中に印字モードが変更されることがある。たとえば、普通紙の印字からＯＨＰシートの印字に切り替えられる場合である。このような場合、ＯＨＰ印字モードでは透過性を維持するため通常速度が半速になり、定着させる際の温度も普通紙印字モードにおける温度よりも高く設定されることが多い。したがって、このような印字モードの変更の際にそれぞれに起因する温度上昇が重なり、定着装置の温度が一時的に規定値を超えてしまう現象、つまり、オーバシュートの現象が生じることがある。
【０００８】
ハロゲンランプを用いた従来の定着装置では、上記の速度の変更と設定温度の変更が同時に行われていた。しかし、ハロゲンランプには熱応答の遅れが存在しており、この熱応答特性によって、結果的に加熱タイミングがずれることになっていた。すなわち、結果的に、回転速度の変更が終了して発熱ローラの温度が安定した後に、発熱ローラの温度上昇
が始まっていた。したがって、ハロゲンランプを用いた従来の定着装置では、オーバシュートは特に問題視されていなかった。
【特許文献１】特開２００２−０８２５４９号公報
【発明の開示】
【発明が解決しようとする課題】
【０００９】
一方、電磁誘導加熱式の定着装置においては、熱応答の遅れはほとんど存在しない。このため、従来のハロゲンランプを用いた定着装置と同様に、速度の変更と設定温度の変更を同時に行った場合に、それぞれが原因の温度上昇が一度に発生することにより、オーバシュートの度合いが大きくなるものと想定される。
【００１０】
上記した従来の電磁誘導加熱方式の定着装置では、定着装置の寿命や騒音の観点から、スタンバイモード時に定着装置を通常の印字動作速度の半速で動作させている。したがって、普通紙印字が終了した後に次の印字が無くスタンバイモードに移行する場合には、通常速度の動作から半速の動作に移行することになる。
【００１１】
その場合、半速動作に移行した直後に加圧ローラに奪われる熱量が半減し、加熱手段の温度がオーバシュートする。特にベルト定着方式の場合、速度が半分になることによってベルトに供給される熱量が瞬間的に倍になり、急激な温度上昇を起こすことになる。また、電磁誘導加熱によってベルトを直接発熱させる場合も、電磁誘導加熱の励磁コイルを通過する時間が倍になることから、局所的にベルトの温度が高くなる現象が発生する。
【００１２】
通常、ベルト定着装置では加熱部と温度検知部に位置的なずれがあることが多い。また、加熱に電磁誘導加熱を用いた場合には、加熱部位に金属を配置すると加熱されてしまうため、電磁誘導加熱の磁界内に温度センサを置くことは困難である。そのため、加熱した温度を制御にフィードバックするのにタイムラグが生じる。これは速度を半速にすることにより顕著になるため、ベルトの温度上昇も大きくなる。以上の現象は、等速印字のベルト移動速度が２００ｍｍ／ｓ（ミリメートル毎秒）以上といった高い速度で、半速との速度差が大きい場合により顕著になる。
【００１３】
最近では、カラー等速印字速度の１.１〜２倍の速度でモノクロ印字することが行われている。その場合、モノクロ印字モードからカラー印字のスタンバイモードへ移行する場合、その速度は１／２〜１／４程度に急速に低下することになる。そのため、より大きなオーバシュートが発生する。
【００１４】
さらに、加熱の目標温度がモノクロ印字モード時の値からスタンバイモード時の値へ切り替わる際、一時的に加熱の出力が上昇する現象がある。これはモノクロ印字モード時の定着温度からスタンバイモード時の温度への移行がより高温への変更になる場合に顕著である。
【００１５】
モノクロ普通紙印字が終了した後にカラー印字のスタンバイモードに移行した場合、上記二つの現象が重なり合い、２０℃以上オーバシュートする現象が見られた。
【００１６】
また、ＯＨＰ用紙に印字する際は、上記のように、動作速度を落としたり設定温度を高くする。したがって、モノクロ印字からそのままカラーのＯＨＰ印字モードに移行する場合には、モード移行時のオーバシュートが２５℃以上と過大になり、ベルトの寿命短縮やサーモスタットが切れたり高温エラーの発生が起こる可能性がある。
【００１７】
本発明の目的は、モード移行時のオーバシュートを抑えることができる定着装置およびこれを用いた画像形成装置を提供することである。
【課題を解決するための手段】
【００１８】
本発明の定着装置は、熱によって画像を記録紙に定着させる回転可能な加熱手段と、前記加熱手段との間で記録紙を加圧搬送する加圧手段と、前記加熱手段が第一の回転速度で回転する一のモードから前記加熱手段が第二の回転速度で回転する他のモードへ移行するとき、前記加熱手段を前記第一の回転速度と前記第二の回転速度との間の第三の回転速度で所定時間回転させる回転速度制御手段と、を具備する構成を採る。
【００１９】
また、本発明の定着装置は、熱によって画像を記録紙に定着させる回転可能な加熱手段と、前記加熱手段との間で記録紙を加圧搬送する加圧手段と、前記加熱手段が第一の回転速度で回転する第一のモードと、前記加熱手段が前記第一の回転速度よりも低い第二の回転速度で回転する第二のモードと、前記加熱手段が前記第一の回転速度よりも低く前記第二の回転速度よりも高い第三の回転速度で回転する第三のモードとを切り替えて設定するモード切替手段と、前記モード切替手段によって前記第一のモードから前記第二のモードへ切り替えられるとき、前記加熱手段を前記第一の回転速度と前記第二の回転速度との間の所定の回転速度で所定時間回転させる回転速度制御手段と、を具備する構成を採る。
【００２０】
また、本発明の画像形成装置は、記録紙に画像を転写する画像転写装置と、前記画像転写手段によって記録紙に転写された画像を熱によって定着させる回転可能な加熱手段と、前記加熱手段との間で記録紙を加圧搬送する加圧手段と、前記加熱手段が第一の回転速度で回転する一のモードから前記加熱手段が第二の回転速度で回転する他のモードへ移行する場合、前記加熱手段を前記第一の回転速度と前記第二の回転速度との間の第三の回転速度で所定時間回転させる回転速度制御手段と、を備えた定着装置と、を具備する構成を採る。
【発明の効果】
【００２１】
本発明によれば、あるモードから加熱手段の回転速度の異なるモードへと切り替わるときに、直接に回転速度を変更するのではなく、中間の回転速度で加熱手段を所定時間回転させてから次のモードの回転速度へと移行させる。これにより、モードの移行に伴う加熱手段の温度のオーバシュートを抑えることができ、その後の印字時における画像乱れも防止することができる。このため、たとえば、カラー印字速度と、それより速いモノクロ印字速度と、ＯＨＰなどのカラー半速印字速度とを有する、または、待機時に加熱手段の回転速度を半速以下とする待機状態に移行する定着装置であっても、速度変更の際に加熱手段の温度の過大なオーバシュートを防ぐことができ、また、良好な画像を得ることができる。
【発明を実施するための最良の形態】
【００２２】
以下、本発明の実施の形態について、図面を参照して詳細に説明する。なお、各図において同一の構成または機能を有する構成要素および相当部分には、同一の符号を付し、その説明を省略する。
【００２３】
（実施の形態１）
図１は、本発明の実施の形態１に係る定着装置を用いた画像形成装置の構成を示す概略断面図である。この画像形成装置１００は、タンデム方式の画像形成装置である。画像形成装置１００において、カラー画像の発色に寄与する４色のトナー像が、４つの像担持体上に個別に形成され、中間転写体上に順次重ね合わせて一次転写された後、この一次転写像が、記録媒体に一括転写（二次転写）される。
【００２４】
また、図１において、画像形成装置１００の各構成要素に付した符号の末尾の記号Ｙ、Ｍ、Ｃ、Ｋは、どの色の画像の画像形成に関与する構成要素であるかを示している。Ｙはイエロー画像に対応し、Ｍはマゼンタ画像に対応し、Ｃはシアン画像に対応し、Ｋはブラック画像に対応している。また、同一符号の構成要素は、それぞれ共通した構成を有している。
【００２５】
画像形成装置１００は、前記４つの像担持体としての感光体ドラム１１０Ｙ、１１０Ｍ、１１０Ｃ、１１０Ｋと、中間転写ベルト（中間転写体）１７０とを有している。各感光体ドラム１１０Ｙ、１１０Ｍ、１１０Ｃ、１１０Ｋの周囲には、４つの画像形成ステーションＳＹ、ＳＭ、ＳＣ、ＳＫが配設されている。画像形成ステーションＳＹ、ＳＭ、ＳＣ、ＳＫは、４つの帯電器１２０Ｙ、１２０Ｍ、１２０Ｃ、１２０Ｋと、露光装置１３０と、４つの現像器１４０Ｙ、１４０Ｍ、１４０Ｃ、１４０Ｋと、４つの転写器１５０Ｙ、１５０Ｍ、１５０Ｃ、１５０Ｋと、４つのクリーニング装置１６０Ｙ、１６０Ｍ、１６０Ｃ、１６０Ｋとにより構成されている。
【００２６】
図１において、各感光体ドラム１１０Ｙ、１１０Ｍ、１１０Ｃ、１１０Ｋは、それぞれ矢印Ｃの方向に回転される。各感光体ドラム１１０Ｙ、１１０Ｍ、１１０Ｃ、１１０Ｋの表面は、帯電器１２０Ｙ、１２０Ｍ、１２０Ｃ、１２０Ｋによって、一様に所定の電位にそれぞれ帯電される。
【００２７】
帯電された各感光体ドラム１１０Ｙ、１１０Ｍ、１１０Ｃ、１１０Ｋの表面には、露光装置１３０によって、それぞれ異なる特定色の画像データに対応したレーザビームの走査線１３０Ｙ、１３０Ｍ、１３０Ｃ、１３０Ｋが照射される。これにより、各感光体ドラム１１０Ｙ、１１０Ｍ、１１０Ｃ、１１０Ｋの表面に前記特定色ごとの静電潜像が形成される。
【００２８】
感光体ドラム１１０Ｙ、１１０Ｍ、１１０Ｃ、１１０Ｋ上に形成された前記特定色ごとの静電潜像は、現像器１４０Ｙ、１４０Ｍ、１４０Ｃ、１４０Ｋによって顕像化される。これにより、各感光体ドラム１１０Ｙ、１１０Ｍ、１１０Ｃ、１１０Ｋ上に、カラー画像の発色に寄与する４色の未定着画像が形成される。
【００２９】
感光体ドラム１１０Ｙ、１１０Ｍ、１１０Ｃ、１１０Ｋ上に顕像化された４色のトナー像は、転写器１５０Ｙ、１５０Ｍ、１５０Ｃ、１５０Ｋによって、前記中間転写体としての無端状の中間転写ベルト１７０に一次転写される。これにより、感光体ドラム１１０Ｙ、１１０Ｍ、１１０Ｃ、１１０Ｋ上に形成された４色のトナー像が順次重ね合わされ、中間転写ベルト１７０上にフルカラー画像が形成される。
【００３０】
クリーニング手段１６０Ｙ、１６０Ｍ、１６０Ｃ、１６０Ｋは、各感光体ドラム１１０Ｙ、１１０Ｍ、１１０Ｃ、１１０Ｋが中間転写ベルト１７０にトナー像を転写した後、各感光体ドラム１１０Ｙ、１１０Ｍ、１１０Ｃ、１１０Ｋの表面に残っている残留トナーを除去する。
【００３１】
露光装置１３０は、感光体ドラム１１０Ｙ、１１０Ｍ、１１０Ｃ、１１０Ｋに対して所定の傾きをもって配置されている。また、中間転写ベルト１７０は、駆動ローラ１７１と従動ローラ１７２とに懸架されており、駆動ローラ１７１の回転により、図１において矢印Ａの方向へ回動される。
【００３２】
一方、画像形成装置１００の下部には、記録媒体としての記録紙Ｐが収納された給紙カセット１８０が設けられている。記録紙Ｐは、給紙ローラ１８１によって給紙カセット１８０から１枚ずつ所定のシート経路に沿って矢印Ｂの方向に送り出される。
【００３３】
従動ローラ１７２に懸架された中間転写ベルト１７０の外周面と、中間転写ベルト１７０の外周面に接触する二次転写ローラ１９０は、転写ニップ部を形成している。前記シート経路に送り出された記録紙Ｐは、この転写ニップ部を通過する。二次転写ローラ１９０は、記録紙Ｐが前記転写ニップ部を通過する際に、中間転写ベルト１７０上に形成されたフルカラー画像（未定着画像）をこの記録紙Ｐに一括転写させる。
【００３４】
後に詳述する定着装置２００の定着ローラ２１０および支持ローラとしての発熱ローラ２２０に懸架された定着ベルト２３０の外周面と、定着ベルト２３０の外周面に接触する加圧ローラ２４０は、定着ニップ部Ｎを形成している。記録紙Ｐは、前記転写ニップ部を通過した後、この定着ニップ部Ｎを通過する。これにより、記録紙Ｐには、前記転写ニップ部で一括転写された未定着のフルカラー画像が加熱定着される。
【００３５】
なお、画像形成装置１００には、その筐体の一部を成す開閉自在のドア１０１が設けられている。このドア１０１の開閉により、定着装置２００の交換やメンテナンス、前記用紙搬送路に詰まった記録紙Ｐのジャム処理などの保守作業を行うことができる。
【００３６】
次に、画像形成装置１００に搭載されている定着装置２００について説明する。図２は、本発明の実施の形態１に係る定着装置２００の構成を示す概略断面図である。
【００３７】
定着装置２００は、その熱供給手段として、電磁誘導加熱（induction heating：ＩＨ）方式を用いている。図２に示すように、定着装置２００は、熱供給手段から供給された熱により画像を記録紙Ｐに定着させる回転可能な加熱手段として、定着ローラ２１０と、発熱ローラ２２０と、定着ベルト２３０とを備えている。また、定着装置２００は、加圧手段としての加圧ローラ２４０と、熱供給手段としての誘導加熱装置２５０と、シート分離ガイド板としてのセパレータ２６０と、シート搬送経路形成部材としての４つのシートガイド板２８１、２８２、２８３、２８４とを備えている。
【００３８】
定着装置２００は、誘導加熱装置２５０により生成した磁界の作用によって、発熱ローラ２２０および定着ベルト２３０を加熱する。定着装置２００は、シートガイド板２８１、２８２、２８３、２８４に沿って搬送される記録紙Ｐ上の未定着画像を、加熱された定
着ベルト２３０と加圧ローラ２４０との間の定着ニップ部Ｎで記録紙Ｐに加熱定着させる。
【００３９】
図２において、発熱ローラ２２０は、中空円筒状の磁性金属部材からなる回転体で構成されている。この磁性金属部材は、たとえば、鉄、コバルト、ニッケルまたはこれら金属の合金などの金属を素材としている。発熱ローラ２２０は、図示しない支持側板に固定されたベアリングによってその両端が回転可能に支持されており、図示しない駆動手段によって回転駆動される。また、発熱ローラ２２０は、外径が２０ｍｍ、肉厚が０.３ｍｍの熱容量が低く昇温が速い構成となっており、そのキュリー点が３００℃以上となるように調整されている。
【００４０】
定着ローラ２１０は、たとえば、ステンレススチールなどの金属からなる芯金を、ソリッド状または発泡状の耐熱性を有するシリコーンゴムからなる弾性部材で被覆して構成されている。定着ローラ２１０は、その外径が３０ｍｍ程度あり、発熱ローラ２２０の外径よりも大きく形成されている。前記弾性部材は、その肉厚を３〜８ｍｍ程度、硬度を１５〜５０°（Ａｓｋｅｒ硬度：ＪＩＳ Ａの硬度では６〜２５°）程度としている。
【００４１】
また、定着ローラ２１０には、加圧ローラ２４０が圧接している。この定着ローラ２１０と加圧ローラ２４０との圧接により、その圧接部に所定幅の定着ニップ部Ｎが形成される。
【００４２】
定着ベルト２３０は、耐熱性ベルトで構成されており、発熱ローラ２２０と定着ローラ２１０とに懸架されている。発熱ローラ２２０は、後述する誘導加熱装置２５０によって誘導加熱される。その誘導加熱された発熱ローラ２２０の熱は、定着ベルト２３０との接触部位で定着ベルト２３０に伝導する。さらに、定着ベルト２３０は回転するため、定着ベルト２３０は全周に亘って加熱される。
【００４３】
このような構成の定着装置２００は、発熱ローラ２２０の熱容量が定着ローラ２１０の熱容量よりも小さい。したがって、発熱ローラ２２０の温度を短時間で上昇させることができ、その加熱定着開始時におけるウォームアップ時間が短縮される。
【００４４】
定着ベルト２３０の耐熱性ベルトは、発熱層、弾性層および離型層を備えた多層構造となっている。前記発熱層は、たとえば、鉄、コバルト、ニッケルなどの磁性を有する金属またはそれらを基材とする合金を素材としている。前記弾性層は、前記発熱層の表面を被覆するようにして設けられたシリコーンゴムまたはフッ素ゴムなどの弾性部材を素材としている。前記離型層は、ＰＴＦＥ（PolyTetraFluoroEthylene）、ＰＦＡ（Tetra fluoro ethylene：テトラフルオロエチレン）、ＦＥＰ（Polyfluoro ethylene propylene：四フッ化エチレン六フッ化プロピレン）、シリコーンゴム、フッ素ゴムなどの離型性の高い樹脂もしくはゴムまたはこれらを混合したものを素材としている。
【００４５】
このような構成の定着ベルト２３０では、定着ベルト２３０と発熱ローラ２２０との間に何らかの原因で異物が混入してギャップが生じたとしても、その発熱層を誘導加熱装置２５０が誘導加熱することによって、定着ベルト自体を発熱させることができる。このように、定着ベルト２３０は、誘導加熱装置２５０によって直接に加熱されるため、その発熱効率が良くなり、またレスポンスが速くなる。すなわち、温度ムラが少なく加熱手段としての信頼性が高くなる。
【００４６】
ただし、加熱手段として、発熱層の存在しない定着ベルトを使用することも可能である。その場合加熱の信頼性は低くなるが、より汎用性の高いベルトを使用することができるため、コスト的に有利になる。このような定着ベルトとしては、たとえば、発熱層の代わ
りにポリイミドで構成されるベルト基材に上記弾性層および離型層を形成したものを適用することができる。
【００４７】
加圧ローラ２４０は、たとえば、銅またはアルミなどの熱伝導性の高い金属を素材とする円筒部材からなる芯金の表面に、耐熱性およびトナーに対する離型性の高い弾性部材を設けて構成されている。加圧ローラ２４０の芯金としては、これらの金属以外に、たとえば、ＳＵＳ（Steel Use Stainless）（ＪＩＳ日本工業規格）を使用してもよい。
【００４８】
加圧ローラ２４０は、上記のように、定着ベルト２３０を介して定着ローラ２１０に圧接することにより、記録紙Ｐを挟持して搬送する定着ニップ部Ｎを形成している。ここでは、加圧ローラ２４０の硬度を定着ローラ２１０の硬度よりも高くしている。これにより、定着ニップ部Ｎでは、加圧ローラ２４０の周面が定着ベルト２３０を介して定着ローラ２１０の周面に食い込むような状態となる。
【００４９】
このため、加圧ローラ２４０は、その外径は定着ローラ２１０と同じ３０ｍｍ程度であるが、その肉厚は２〜５ｍｍ程度と定着ローラ２１０の肉厚よりも薄く構成されている。また、加圧ローラ２４０の硬度は、２０〜６０°（Ａｓｋｅｒ硬度：ＪＩＳ Ａの硬度では６〜２５°）程度と定着ローラ２１０よりも硬く構成されている。
【００５０】
このような構成の定着装置２００においては、記録紙Ｐは、加圧ローラ２４０の周面の表面形状に沿うように定着ニップ部Ｎを搬送される。これにより、記録紙Ｐの加熱定着面が定着ベルト２３０の表面から離れやすくなるという効果がある。
【００５１】
なお、定着ニップ部Ｎの入口側近傍の定着ベルト２３０の内周面には、温度検出手段として、たとえば、サーミスタなどの熱応答性の高い感温素子からなる温度検出器２７０が配置されている。
【００５２】
誘導加熱装置２５０は、温度検出器２７０が検出した定着ベルト２３０の内周面の温度に基づいて、前記未定着画像を画像定着させる際の温度を所定の値に維持するように制御される。
【００５３】
次に、誘導加熱装置２５０の構成について説明する。誘導加熱装置２５０は、図２に示すように、定着ベルト２３０を介して発熱ローラ２２０の外周面に対向するように配置されている。誘導加熱装置２５０には、コイルガイド部材としての支持フレーム２５１が設けられている。この誘導加熱装置２５０は、難燃性の樹脂を素材としており、発熱ローラ２２０を覆うように湾曲形成されている。
【００５４】
支持フレーム２５１の中心部には、サーモスタット２５２が配設されている。サーモスタット２５２の温度検出部分の一部は、支持フレーム２５１から発熱ローラ２２０および定着ベルト２３０に向けて表出している。
【００５５】
支持フレーム２５１の外周面に巻回された磁界発生手段としての励磁コイル２５３は、図示しないインバータ回路に接続されている。サーモスタット２５２は、発熱ローラ２２０および定着ベルト２３０の温度が異常に高くなったことを検出したときに、この励磁コイル２５３とインバータ回路との接続を強制遮断する。
【００５６】
励磁コイル２５３は、表面が絶縁された長い一本の励磁コイル線材を支持フレーム２５１に沿って発熱ローラ２２０の軸方向に交互に巻き付けて構成されている。この励磁コイル２５３の巻回部分の発熱ローラ２２０の軸方向の長さは、定着ベルト２３０と発熱ローラ２２０とが接する領域とほぼ同じ長さとなっている。
【００５７】
励磁コイル２５３は、上記したインバータ回路に接続されており、このインバータ回路から１０ｋＨｚ〜１ＭＨｚ（好ましくは、２０ｋＨｚ〜８００ｋＨｚ）の高周波交流電流を給電されることによって交番磁界を発生する。この交番磁界は、発熱ローラ２２０と定着ベルト２３０との接触領域およびその近傍において、発熱ローラ２２０および定着ベルト２３０の発熱層に作用する。この交番磁界の作用によって、発熱ローラ２２０および定着ベルト２３０の発熱層の内部に上記交番磁界の変化を妨げる方向の渦電流が流れる。
【００５８】
この渦電流は、発熱ローラ２２０および定着ベルト２３０の発熱層の抵抗に応じたジュール熱を発生させ、主として発熱ローラ２２０と定着ベルト２３０との接触領域およびその近傍において、発熱ローラ２２０および定着ベルト２３０を電磁誘導加熱する。
【００５９】
一方、支持フレーム２５１には、励磁コイル２５３を囲むようにして、アーチコア２５４およびサイドコア２５５が設けられている。これらのアーチコア２５４およびサイドコア２５５は、励磁コイル２５３のインダクタンスを増大させ、励磁コイル２５３と発熱ローラ２２０との電磁結合を良好な状態にする。
【００６０】
従って、この定着装置２００においては、アーチコア２５４およびサイドコア２５５の作用により、同じコイル電流でも多くの電力を発熱ローラ２２０へ投入することが可能となる。これにより、発熱ローラ２２０および定着ベルト２３０のウォームアップ時間を短縮することができる。
【００６１】
また、支持フレーム２５１には、誘導加熱装置２５０の内部のアーチコア２５４およびサーモスタット２５２を覆うように屋根型に形成された樹脂製のハウジング２５６が取り付けられている。このハウジング２５６には、図示しない複数の放熱孔が形成されており、支持フレーム２５１や励磁コイル２５３、アーチコア２５４などの装置部から発生した熱を、外部に放出できるようになっている。なお、ハウジング２５６は、たとえば、アルミニウムなどの樹脂以外の素材で形成してもよい。
【００６２】
また、支持フレーム２５１には、ハウジング２５６に形成された放熱孔を塞がないような配置で、ハウジング２５６の外面を覆うショートリング２５７が取り付けられている。ショートリング２５７は、アーチコア２５４の背面に位置しており、アーチコア２５４の背面から外部に漏れ出るわずかな漏れ磁束を打ち消す方向に渦電流を発生させる。これにより、漏れ磁束の磁界を打ち消す方向に磁界が発生し、漏れ磁束による不要な輻射が防止される。
【００６３】
図３は、定着装置２００の機能的構成を示すブロック図である。定着装置２００は、主に、モード切替部３０１、発熱量制御部３０２、回転速度制御部３０３、目標温度格納部３０４、回転速度格納部３０５、およびタイマ３０６から構成される。モード切替部３０１は、画像形成装置１００の動作のモードの設定および切り替えを行う。発熱量制御部３０２は、定着装置２００の発熱量を制御する。回転速度制御部３０３は、発熱ローラ２２０および定着ベルト２３０の回転速度を制御する。目標温度格納部３０４は、画像形成装置１００の動作のモードごとに定められた発熱ローラ２２０および定着ベルト２３０の各目標温度を予め格納している。回転速度格納部３０５は、画像形成装置１００の動作のモードごとに定められた定着ベルト２３０の回転速度を予め格納している。タイマ３０６は、回転速度制御部３０３によって後述する回転速度制御処理で使用される。
【００６４】
定着装置２００は、図示しないが、ＣＰＵ（Central Processing Unit）と、制御プログラムを格納したＲＯＭ（Read Only Memory）などの記憶媒体と、ＲＡＭ（Random Access Memory）などの作業用メモリと、ＡＤ（Analog to Digital）コンバータなどの回路装
置とを備えている。図３に示す各部の機能は、ＣＰＵが所定の制御プログラム実行することにより実現される。
【００６５】
まず、モード切替部３０１の機能について説明する。モード切替部３０１は、普通紙にモノクロ画像を印字するためのモノクロ普通紙印字モード（以下、適宜「モノクロ印字モード」または「普通紙印字モード」という）と、普通紙にカラー画像を印字するためのカラー普通紙印字モードと、印字は行わないが加熱手段をウォームアップしておくスタンバイモード（待機モード）を切り替えて設定する。この切り替えは、図示しないホスト装置（たとえば、ユーザ使用のパーソナルコンピュータ）からの印字動作開始の指示や、画像形成装置１００に備えられた図示しないキースイッチの操作、図示しない排紙センサを使用した印字終了の検出などに基づいて行われる。
【００６６】
図１に示す画像形成装置１００は、ホスト装置から印字モードを指定して印字動作開始を指示されると、図１および図２で説明した画像形成動作を開始する。このとき、モード切替部３０１は、画像形成装置１００の各部がその指定された印字モードに対応する動作を行うように、各部を制御する。発熱量制御部３０２および回転速度制御部３０３に対しては、指定された印字モードをそれぞれに通知する。また、排紙センサにより印字終了が検出されると、画像形成装置１００の各部の動作をスタンバイモードに移行させる。発熱量制御部３０２および回転速度制御部３０３に対しては、スタンバイモードへ移行する旨をそれぞれに通知する。
【００６７】
次に、本実施の形態１に係る定着装置２００の発熱量制御部３０２の構成およびその機能について説明する。図４は、発熱量制御部３０２の機能的構成を示すブロック図である。
【００６８】
図４に示すように、発熱量制御部３０２は、主に、供給電力演算部３１１、電力設定部３１２、温度検出部３１３、電圧値検出部３１４、電流値検出部３１５、電力値演算部３１６、およびリミッタ制御部３１７から構成される。
【００６９】
図２に示す誘導加熱装置２５０は、既に説明したように、記録紙Ｐ上に二次転写された未定着のフルカラー画像を加熱定着させるために、発熱ローラ２２０および定着ベルト２３０を加熱する。供給電力演算部３１１は、この誘導加熱装置２５０に供給すべき電力値を演算する。
【００７０】
電力設定部３１２は、供給電力演算部３１１で算出された電力値を、励磁コイル２５３を駆動する上記したインバータ回路へ出力する。
【００７１】
この電力設定部３１２に設定された値（レジスタ値）に応じて、上記インバータ回路へ出力する電力値が制御される。この電力値の制御により、誘導加熱装置２５０による発熱量、つまり、記録紙Ｐに未定着画像を定着するための発熱ローラ２２０および定着ベルト２３０の温度が制御される。
【００７２】
誘導加熱装置２５０に供給する電力の値を演算するために必要な情報には、定着装置２００の画像定着温度と、前記インバータ回路に実際に供給されている電力の値とがある。定着装置２００の画像定着温度は、温度検出部３１３から得られる。また、前記インバータ回路に実際に供給されている電力の値は、電力値演算部３１６から得られる。
【００７３】
温度検出部３１３は、定着ニップ部Ｎの入口側近傍の定着ベルト２３０の内面側に当接して配置された温度検出器２７０からのアナログ出力をディジタルデータに変換し、供給電力演算部３１１に出力する。
【００７４】
図２に示す定着装置２００には、図示しないが、上記インバータ回路への入力電圧を検出する電圧検出器と、上記インバータ回路への入力電流を検出する電流検出器が備えられている。電圧値検出部３１４は、電圧検出器の検出結果をディジタルデータに変換し、インバータ回路への入力電圧値を出力する。電流値検出部３１５は、電流検出器の検出結果をディジタルデータに変換し、インバータ回路への入力電流値を出力する。なお、電流値については励磁コイル２５３に流れる電流値を検出して制御に用いることも可能である。
【００７５】
電力値演算部３１６は、電圧値検出部３１４と電流値検出部３１５からのそれぞれの出力を乗算することによりインバータ回路への入力電力値を求める方法を採用している。
【００７６】
電圧値検出部３１４は、演算結果を供給電力演算部３１１に出力する。
【００７７】
供給電力演算部３１１は、モード切替部３０１からモードが通知されるたびに、目標温度格納部３０４を参照して該当する目標温度を取得する。そして、取得した目標温度に発熱ローラ２２０および定着ベルト２３０の温度が一致するように、定期的（ここでは、１０ｍｓごと）に、温度検出部３１３からのデータおよび電力値演算部３１６からのデータを取得しながら電力設定部３１２に演算値（レジスタ値）を設定する。具体的には、供給電力演算部３１１は、レジスタ値を調整することによって、励磁コイル２５３から発生する磁束の強度を制御する。このように、供給電力演算部３１１が電力設定部３１２に演算値を設定することにより、記録紙Ｐに未定着画像を定着させるための発熱ローラ２２０および定着ベルト２３０の温度が制御される。
【００７８】
リミッタ制御部３１７は、電力設定部３１２に設定される電力の値を最終チェックする。すなわち、リミッタ制御部３１７は、予め定められたリミット値を越えた値が電力設定部３１２に設定されようとした時、または、電力値演算部３１６による演算結果が予め定められた値よりも大きい値であった場合に、電力設定部３１２に設定するデータを所定の規定値に変更する制御を行う。
【００７９】
より具体的には、リミッタ制御部３１７は、たとえば、リミット値がデータでＡＡＨＥＸ（HEXadecimal number：１６進数）で、供給電力演算部３１１で演算された値がＡＡＨＥＸよりも大きい場合に、電力設定部３１２に設定する値として目標電力の８０％に相当する電力値を強制的に設定する。また、リミッタ制御部３１７は、電力値演算部３１１による演算結果が、たとえば、１１５０Ｗ（ワット）以上であった場合にも同様の処理を行う。
【００８０】
なお、実際には、前記電力値を設定する際には上限値および下限値で制限されているので、上記のようなリミット値に達することはないはずである。しかし、電流値や電圧値を取得するためのＡＤコンバータのラインにノイズが発生してデータを誤検出した場合に備えて、このようなリミット制御を設けることが望ましい。
【００８１】
次に、回転速度制御部３０３の機能について説明するが、これに先立って、回転速度格納部３０５の格納内容について説明する。回転速度格納部３０５は、普通紙印字モードに対応して回転速度２５０ｍｍ／ｓを、カラー普通紙印字モードに対応して回転速度１５０ｍｍ／ｓを、スタンバイモードに対応して回転速度の１００ｍｍ／ｓを、それぞれ格納している。以下、２５０ｍｍ／ｓを第一の回転速度といい、１００ｍｍ／ｓを第二の回転速度という。さらに、回転速度格納部３０５は、第一の回転速度と第二の回転速度の中間の回転速度として、第三の回転速度１７０ｍｍ／ｓを格納している。
【００８２】
図５は、回転速度制御部３０３による回転速度制御処理の流れを表すフロー図である。
回転速度制御部３０３は、モード切替部３０１からモードを通知され（Ｓ４０１：ＹＥＳ）、かつ、直前のモードが普通紙印字モードであってスタンバイモードが通知された場合（Ｓ４０２：ＹＥＳ）、発熱ローラ２２０および定着ベルト２３０の回転速度を第三の回転速度に変更する（Ｓ４０３）。そして、タイマ３０６による時間の測定をスタートさせ（Ｓ４０４）、測定時間が所定の時間に達すると（Ｓ４０５：ＹＥＳ）、発熱ローラ２２０および定着ベルト２３０の回転速度を通知されたモードの回転速度に変更する（Ｓ４０６）。この所定の時間には、たとえば、１秒が設定される。そして、たとえば、モードが固定されるなどして処理の終了が指示された場合には（Ｓ４０７：ＹＥＳ）、一連の処理を終了するが、特に処理の終了が指示されない場合には（Ｓ４０７：ＮＯ）、再びステップＳ４０１へ戻る。
【００８３】
一方、モード切替部３０１からモードが通知されたものの（Ｓ４０１：ＹＥＳ）、直前のモードが普通紙印字モードではなかった場合、または、通知されたモードがスタンバイモードではない場合には（Ｓ４０２：ＮＯ）、ステップＳ４０６へそのまま進み、第三の回転速度への変更を行うことなく直接に通知されたモードの回転速度への変更を行う。
【００８４】
なお、ステップＳ４０５でしきい値として使用される所定時間は、たとえば、第三の回転速度で回転させる時間長さを徐々に短くしながら実験やシミュレーションで発生するオーバシュートの大きさを測定し、オーバシュートの大きさが予め定められた許容値以下に収まるような時間長さを特定し、これを適用するようにすればよい。さらに、周囲温度を検出し、その検出結果に応じて所定時間を適切な値に調整するようにしてもよい。
【００８５】
図６は、実施の形態１に係る定着装置２００による定着ベルト２３０の温度変化のシミュレーション結果を示す図である。ここでは、画像形成装置１００のモードが普通紙印字モードに設定された状態で印字が行われ、その印字終了後にスタンバイモードへと移行する場合のシミュレーション結果を示す。
【００８６】
定着装置２００では、スタンバイモードからの復帰後に最初の印字が可能となるまでの時間を短縮するために、スタンバイモード時に予熱を行っている。定着装置２００は、上記のように、熱源に電磁誘導加熱を用いたコイル外包式ベルト定着装置であり、定着ベルト２３０および発熱ローラ２２０の一部を加熱し、それらが回転することにより定着ベルト２３０全体に熱を伝える構成となっている。この構成の場合、発熱ローラ２２０および定着ベルト２３０を停止させた状態で予熱を行うとベルトが部分的に高温になり破壊する可能性があるため、これらの装置部が回転している状態で予熱を行わなければならない。定着装置２００の寿命などを考慮すると、発熱ローラ２２０および定着ベルト２３０を無駄に回転させることを避けることが望ましい。
【００８７】
このため、この定着装置２００では、スタンバイモードにおける回転速度として、最も遅い回転速度が設定されている印字モードの回転速度を採用している。以降、定着ベルト２３０の回転速度を、定着ベルト２３０の外周部の移動速度で表すものとする。
【００８８】
上記のように、発熱ローラ２２０および定着ベルト２３０の回転速度は、モノクロ印字モードで２５０ｍｍ／ｓであり、スタンバイモードでは１００ｍｍ／ｓである。
【００８９】
定着装置２００では、上記のように、発熱ローラ２２０の熱を定着ベルト２３０に伝導させる。あるいは、電磁誘導加熱などにより定着ベルト２３０をある区域で加熱し定着ニップ部Ｎに熱を搬送する。そのため、印字モードの変更などにより回転速度が低速に変更になった瞬間、定着ベルト２３０が加熱される区域を通過する時間が増え、定着ベルト２３０に供給される単位時間あたりの熱量が増加する。その後、増加した熱量の測定によって、適切な加熱量に制御されるが、一時的に定着ベルト２３０の温度が大きくオーバシュ
ートすることになる。
【００９０】
定着装置２００は、モードが移行する際に、その前後での定着ベルト２３０の回転速度の比が０.５以下である場合には、その中間の回転速度で所定時間回転させる。最も早い第一の回転速度２５０ｍｍ／ｓから最も遅い第二の回転速度１００ｍｍ／ｓへと移行するケースで、その比は０.５以下となる。したがって、普通紙モノクロ印字モードからスタンバイモードに移行する際、普通紙印字の後に、その中間の速度である第三の回転速度１７０ｍｍ／ｓで１秒間動作し、次に１００ｍｍ／ｓに変更する。これにより、定着ベルト２３０の回転速度が低速に変更する際に、発熱ローラ２２０や定着ベルト２３０の温度に大きなオーバシュートが発生するのを抑えることが可能となる。
【００９１】
この場合、図６に示すように、定着ベルト２３０の温度曲線３５１では、オーバシュートがふた山になり、その普通紙印字モードおよびスタンバイモードでの目標温度に対する温度差をそれぞれ６℃程度に抑えることができた。
【００９２】
また、定着装置２００のカラー普通紙印字モードの印刷速度は１５０ｍｍ／ｓである。モノクロ印字モードからカラー普通紙印字モードに移行する場合は、定着ベルト２３０の回転速度は２５０ｍｍ／ｓから１５０ｍｍ／ｓに変化するが、その速度比は０.５以下とはならない。したがって、この場合は、中間の速度を経ずに、回転速度を直接２５０ｍｍ／ｓから１５０ｍｍ／ｓに変更する。
【００９３】
以上説明したように、本実施の形態に係る定着装置２００によれば、あるモードから加熱手段の回転速度が大幅に少なくなる他のモードへ切り替わるときに、加熱手段の回転速度を直接に変更するのではなく、中間の回転速度で回転させる区間を設けるようにしている。これにより、発熱ローラ２２０や定着ベルト２３０の温度に大きなオーバシュートが発生するのを抑えることができ、装置の信頼性を高めることができるとともに、超寿命化を図ることができる。
【００９４】
なお、実施の形態１では、定着装置２００はタンデム方式の画像形成装置１００に搭載されるものとして説明したが、これに限定されるものではなく、あらゆる方式の画像形成装置に搭載可能であることはいうまでもない。また、加熱手段として定着ベルト２３０を使用する定着装置２００を例として説明したが、これに限定されるものではなく、定着ベルト２３０を使用せず、定着ローラ２１０が発熱ローラ２２０を兼ねた構成としてもよい。すなわち、定着ローラ２１０により記録紙Ｐ上の未定着画像を直接加熱定着するように構成してもよい。
【００９５】
（実施の形態２）
次に、本発明の実施の形態２に係る定着装置について説明する。以下、実施の形態１と同様の構成や動作を行う部分については説明を省略し、また同様の機能を有する要素については同じ番号を付与する。実施の形態２に係る定着装置は、実施の形態１の図１と同様の画像形成装置に適用されるものであり、その構成は、実施の形態１の図２と同様である。ただし、機能的構成については、実施の形態１に係る定着装置とは異なっている。
【００９６】
図７は、実施の形態２に係る定着装置の機能的構成を示すブロック図であり、実施の形態１の図３に対応するものである。この定着装置５００は、実施の形態１と同様にモノクロ普通紙印字モード、カラー普通紙印字モード、およびスタンバイモードに加えて、さらにＯＨＰシートに対する印字を行うためのカラー特殊紙印字モードを設定するモード切替部６０１を備えている。また、各印字モードでの印字速度は実施の形態１とは異なっていることから、実施の形態１の目標温度格納部３０４と回転速度格納部３０５とはそれぞれ格納内容が異なる目標温度格納部６０４および回転速度格納部６０５を備えている。さら
に、実施の形態１の回転速度制御部３０３とは異なる処理を行う回転速度制御部６０３を備えている。
【００９７】
回転速度格納部６０５は、モノクロ印字モードに対応して回転速度１７０ｍｍ／ｓを、カラー普通紙印字モードに対応して回転速度１０５ｍｍ／ｓを、カラー特殊紙印字モードおよびスタンバイモードに対応して５２.５ｍｍ／ｓを、それぞれ格納している。以下、１７０ｍｍ／ｓを第一の回転速度といい、５２.５ｍｍ／ｓを第二の回転速度といい、１０５ｍｍ／ｓを第三の回転速度という。
【００９８】
また、目標温度格納部６０４は、たとえば、モノクロ印字モードに対応して目標温度１７０℃を、カラー普通紙印字モードに対応して目標温度１７５℃をそれぞれ格納している。また、スタンバイモードのときの目標温度は、ファーストプリントの時間を短縮するために、温度の高い方を基準としている。したがって、目標温度格納部６０４は、スタンバイモードに対応して、目標温度１７５℃を格納している。
【００９９】
図８は、回転速度制御部６０３による回転速度制御処理の流れを表すフロー図であり、図５に対応するものである。回転速度制御部６０３は、モード切替部６０１からモードを通知されると（Ｓ７０１：ＹＥＳ）、直前のモードの回転速度に対する通知されたモードの回転速度の比が所定値以下となるか否かを判別する（Ｓ７０２）。この所定値には、たとえば、０.５が設定される。
【０１００】
回転速度の比が所定値以下である場合には（Ｓ７０２：ＹＥＳ）、回転速度制御部６０３は、温度のオーバシュートが過大になるとして、発熱ローラ２２０および定着ベルト２３０の回転速度を、直前のモードの回転速度と通知されたモードの回転速度の間の回転速度に変更する（Ｓ７０３）。
【０１０１】
そして、回転速度制御部３０３は、タイマ３０６による時間の測定をスタートさせ（Ｓ７０４）、測定時間が予め定められた所定の時間に達すると（Ｓ７０５：ＹＥＳ）、発熱ローラ２２０および定着ベルト２３０の回転速度を通知されたモードの回転速度へ変更する（Ｓ７０６）。この所定の時間には、たとえば、１秒が設定される。そして、処理の終了が指示された場合、たとえば、モードが固定されたような場合には（Ｓ７０７：ＹＥＳ）、一連の処理を終了するが、特に処理の終了が指示されない場合には（Ｓ７０７：ＮＯ）、再びステップＳ７０１へ戻る。なお、ステップＳ７０２での判別と、ステップＳ７０３およびステップＳ７０６での変更先の回転速度の決定は、回転速度格納部６０５を参照して行われる。
【０１０２】
一方、直前のモードの回転速度に対する通知されたモードの回転速度の比が所定値以下ではない場合には（Ｓ７０２：ＮＯ）、ステップＳ７０６へそのまま進み、中間の回転速度への変更を行うことなく直接に通知されたモードの回転速度への変更を行う。
【０１０３】
なお、ステップＳ７０２でしきい値として使用される所定値は、たとえば、変更前の回転速度と変更後の回転速度の様々な組み合わせパターンについて実験やシミュレーションで発生するオーバシュートの大きさを測定し、それぞれの速度比とオーバシュートの大きさとの関係を解析し、オーバシュートが予め定められた許容値以下に収まるような速度比を特定し、これを適用するようにすればよい。さらに、周囲温度を検出し、その検出結果に応じて所定値を適切な値に調整するようにしてもよい。また、ステップＳ７０２で、回転速度の比が所定値以下か否かを判別するのではなく、所定値よりも小さいか否かを判別するようにしてもよい。この場合には、所定値よりも小さい場合にはステップＳ７０３へ進み、小さくない場合にはステップＳ７０６へ進む。
【０１０４】
また、ステップＳ７０５でしきい値として使用される所定時間は、たとえば、変更前の回転速度に対する変更後の回転速度の速度比との関係を実験やシミュレーションで解析し、その解析結果に基づいていずれの速度比についてもオーバシュートが許容範囲となる共通の値を適用してもよいし、速度比ごとにオーバシュートが許容範囲となる最小値を特定し、速度比ごとにその最小値を適用するようにしてもよい。さらに、周囲温度を検出し、その検出結果に応じて所定時間を適切な値に調整するようにしてもよい。
【０１０５】
図９は、実施の形態２に係る定着装置５００による定着ベルト２３０の温度変化のシミュレーション結果を示す説明図である。ここでは、画像形成装置１００のモードがモノクロ印字モードに設定された状態で印字が行われ、その印字終了後にスタンバイモードへと移行する場合のシミュレーション結果を示す。
【０１０６】
この場合、第一の回転速度１７０ｍｍ／ｓから第二の回転速度５２.５ｍｍ／ｓに回転速度が低下する。このように第一の回転速度の絶対値が低くても、その速度比が０.５以下となる場合には、定着ベルト２３０の温度に大きなオーバシュートが発生する。そこで、モノクロ印字モードからスタンバイモードに移行する途中で、カラー普通紙印字モードの印字速度である第三の回転速度１０５ｍｍ／ｓで１秒回転させる。これにより、オーバシュートのピークを分散させることができ、オーバシュートを低減させることが可能となる。なお、第一の回転速度１７０ｍｍ／ｓから第三の回転速度１０５ｍｍ／ｓへの速度変更と、第三の回転速度１０５ｍｍ／ｓから第二の回転速度５２.５ｍｍ／ｓへの速度変更は、中間の回転速度での回転を経ずに直接行われる。
【０１０７】
さらに、モノクロ印字モードからスタンバイモードに移行する際には、定着温度も１７０℃から１７５℃へと設定変更される。ところが、このように目標温度を低い温度から高い温度に変更した際、一時的に誘導加熱装置２５０に供給される電力が増加し、定着ベルト２３０の温度がより大きくオーバシュートする。
【０１０８】
そこで、この実施の形態２の定着装置２００では、定着ベルト２３０の回転速度を１７０ｍｍ／ｓから１０５ｍｍ／ｓに変更する際に、先に目標温度が変更され、上記所定値に相当する時間経過後に回転速度が５２.５ｍｍ／ｓに変更される。
【０１０９】
この場合、図９に示すように、定着ベルト２３０の温度曲線３５１ａでは、オーバシュートはふた山になり、そのスタンバイモードでの目標温度に対する温度差をそれぞれ７℃程度に抑えることができた。また、これにより、スタンバイモード時の目標温度への収束を素早く行うことができた。
【０１１０】
（実施の形態３）
次に、本発明の実施の形態３に係る定着装置について説明する。以下、実施の形態１と同様の構成や動作を行う部分については説明を省略し、また同様の機能を有する要素については同じ番号を付与する。実施の形態３に係る定着装置は、実施の形態１の図１と同様の画像形成装置に適用されるものである。
【０１１１】
図１０は、本発明の実施の形態３に係る定着装置８００の構成を示す概略断面図である。定着装置８００は、ベルト構成ではなくローラ構成であるが、外部加熱電磁誘導加熱方式を採用している。具体的には、定着ローラ８１０は、実施の形態１の発熱ローラ２２０と同様に発熱層を有している。そして、その外周面を加圧ローラ２４０の外周面に接触させ、トナー２９０が転写された記録紙Ｐを挟持して搬送するニップ部Ｎを形成している。また、この定着ローラ８１０の外周面のうちニップ部Ｎから離れた位置には、実施の形態１と同様に励磁コイル２５３が対向配置されている。また、この励磁コイル２５３を囲むようにして、アーチコア２５４が配置されている。すなわち、定着ローラ８１０の一部分
を急速加熱し、定着ローラ８１０を回転させることでその外周面全体を加熱する構成となっている。
【０１１２】
この定着装置８００では、定着ローラ８１０の一部を加熱する構成であり、温度検出器２７０が加熱部分の下流に位置していることから、加熱とその温度検知にタイムラグが生じる。したがって、定着ローラ８１０の回転速度が急に低下すると、定着ローラ８１０上の一部だけ急速に加熱されてしまい、異常に高温となる恐れがある。しかし、図５に示す制御内容を実行することにより、定着ローラ８１０の回転速度の変更時にその温度のオーバシュートを低減させることができ、図６と同等の温度変化のシミュレーション結果を得ることができた。
【０１１３】
（比較例１）
次に、比較参考のために、実施の形態１で説明した定着装置において、中間の回転速度を用いない場合の温度変化のシミュレーション結果について、比較例１として説明を行う。
【０１１４】
この比較例１では、実施の形態１の第三の回転速度を用いず、定着ベルト２３０の回転速度を、普通紙印字モードの第一の回転速度２５０ｍｍ／ｓからスタンバイモードの第二の回転速度１００ｍｍ／ｓに直接移行させた。図１１は、このような比較例１による定着ベルト２３０の温度変化のシミュレーション結果を示す説明図である。モード移行の際、速度変更により定着ベルト２３０の温度曲線３５１ｂには大きなオーバシュートが発生し、その普通紙印字モードおよびスタンバイモードでの目標温度に対する温度差は約２０℃であった。
【０１１５】
（比較例２）
次に、比較参考のために、実施の形態２で説明した定着装置において、中間の回転速度を用いない場合の温度変化のシミュレーション結果について、比較例２として説明を行う。
【０１１６】
この比較例２では、実施の形態２の第三の回転速度を用いず、定着ベルト２３０の回転速度を、モノクロ印字モードの第一の回転速度１７０ｍｍ／ｓからスタンバイモードの第二の回転速度５２.５ｍｍ／ｓに直接に移行させた。図１２は、このような比較例２による定着ベルト２３０の温度変化のシミュレーション結果を示す説明図である。モード移行の際、回転速度変更と目標温度変更により定着ベルト２３０の温度曲線３５１ｃには大きなオーバシュートが発生し、そのスタンバイモードでの目標温度に対する温度差は約２５℃であった。
【０１１７】
その際、定着ベルト２３０の温度は２００℃以上であるが、さらに、低温環境における温度補正が実施される場合、２０５℃以上となることがある。これにより、サーミスタのばらつきによっては高温エラーが発生し、定着装置が異常停止する恐れがある。本発明の実施の形態１〜３の各定着装置によれば、加熱手段の温度のオーバシュートを低減するだけでなく、従来の手法では発生し得るこれらの事態を防止することができる。
【０１１８】
本明細書は、２００５年３月１０日出願の特願２００５−０６６９９５に基づく。この内容はすべてここに含めておく。
【産業上の利用可能性】
【０１１９】
本発明に係る定着装置は、加熱手段の温度のオーバシュートを小さくすることができるので、複写機やファクシミリ、プリンタなどの画像形成装置の定着装置として有用である。
【図面の簡単な説明】
【０１２０】
【図１】本発明の実施の形態１に係る定着装置を用いた画像形成装置の構成を示す概略断面図
【図２】本発明の実施の形態１に係る定着装置の構成を示す概略断面図
【図３】本発明の実施の形態１に係る定着装置の機能的構成を示すブロック図
【図４】本発明の実施の形態１における発熱量制御部の機能的構成を示すブロック図
【図５】本発明の実施の形態１における回転速度制御部による回転速度制御処理の流れを表すフロー図
【図６】本発明の実施の形態１に係る定着装置による定着ベルトの温度変化のシミュレーション結果を示す図
【図７】本発明の実施の形態２に係る定着装置の機能的構成を示すブロック図
【図８】本発明の実施の形態２における回転速度制御部による回転速度制御処理の流れを表すフロー図
【図９】実施の形態２に係る定着装置による定着ベルトの温度変化のシミュレーション結果を示す説明図
【図１０】本発明の実施の形態３に係る定着装置の構成を示す概略断面図
【図１１】中間の回転速度を用いない定着装置における温度変化のシミュレーション結果の一例を示す説明図
【図１２】中間の回転速度を用いない定着装置における温度変化のシミュレーション結果の他の例を示す説明図
【手続補正３】
【補正対象書類名】図面
【補正対象項目名】全図
【補正方法】変更
【補正の内容】
【図１】
2006095782.tif 000014
【図２】
2006095782.tif 000015
【図３】
2006095782.tif 000016
【図４】
2006095782.tif 000017
【図５】
2006095782.tif 000018
【図６】
2006095782.tif 000019
【図７】
2006095782.tif 000020
【図８】
2006095782.tif 000021
【図９】
2006095782.tif 000022
【図１０】
2006095782.tif 000023
【図１１】
2006095782.tif 000024
【図１２】
2006095782.tif 000025
【国際調査報告】
2006095782.tif 000026
2006095782.tif 000027
2006095782.tif 000028
2006095782.tif 000029
2006095782.tif 000030
2006095782.tif 000031